(57)【特許請求の範囲】
【請求項１】
撮影すべき被写体の任意の領域を指定する領域指定手段と、
被写体を撮像して画像データを取り込む画像入力手段と、
内部または外部に設けられ、外部装置とデータ通信するためのデータ通信手段と、
前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、
前記データ通信制御手段は、前記任意の領域内の画像データを前記外部装置に送信する場合に、暗号化して送信することを特徴とするデジタルカメラ。
【請求項２】
撮影すべき被写体の任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項３】
撮影すべき被写体の任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項４】
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項５】
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項６】
撮影すべき被写体に応じた画像を表示するための画像表示手段と、
前記画像表示手段に表示された画像のうちの任意の領域を指定する領域指定手段と、
被写体を撮像して画像データを取り込む画像入力手段と、
内部または外部に設けられ、外部装置とデータ通信するためのデータ通信手段と、
前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、
前記データ通信制御手段は、前記任意の領域内の画像データを前記外部装置に送信する場合に、暗号化して送信することを特徴とするデジタルカメラ。
【請求項７】
撮影すべき被写体に応じた画像を表示するための画像表示手段と、
前記画像表示手段に表示された画像のうちの任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項８】
撮影すべき被写体に応じた画像を表示するための画像表示手段と、
前記画像表示手段に表示された画像のうちの任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項９】
撮影すべき被写体に応じた画像を表示するための画像表示手段と、
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項１０】
撮影すべき被写体に応じた画像を表示するための画像表示手段と、
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項１１】
撮影すべき被写体を確認するための被写体確認手段と、
前記被写体確認手段で確認される撮影すべき被写体の任意の領域を指定する領域指定手段と、
被写体を撮像して画像データを取り込む画像入力手段と、
内部または外部に設けられ、外部装置とデータ通信するためのデータ通信手段と、
前記領域指定手段で任意の領域が指定された後、撮影の指示に応じて前記画像入力手段で取り込んだ被写体に対応した画像データのうち、前記データ通信手段を介して、前記任意の領域内の画像データのみを前記外部装置に送信すべく制御するデータ通信制御手段と、を備え、
前記データ通信制御手段は、前記任意の領域内の画像データを前記外部装置に送信する場合に、暗号化して送信することを特徴とするデジタルカメラ。
【請求項１２】
撮影すべき被写体を確認するための被写体確認手段と、
前記被写体確認手段で確認される撮影すべき被写体の任意の領域を指定する領域指定手段と、
被写体を撮像して画像データを取り込む画像入力手段と、
内部または外部に設けられ、外部装置とデータ通信するためのデータ通信手段と、
前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、
前記データ通信制御手段は、前記任意の領域内の画像データを前記外部装置に送信する場合に、暗号化して送信することを特徴とするデジタルカメラ。
【請求項１３】
撮影すべき被写体を確認するための被写体確認手段と、
前記被写体確認手段で確認される撮影すべき被写体の任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項１４】
撮影すべき被写体を確認するための被写体確認手段と、
前記被写体確認手段で確認される撮影すべき被写体の任意の領域を指定する領域指定手段と、
被写体を撮像して画像データを取り込む画像入力手段と、
前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項１５】
撮影すべき被写体を確認するための被写体確認手段と、
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、前記オブジェクト画像データのみを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【請求項１６】
撮影すべき被写体を確認するための被写体確認手段と、
被写体を撮像して画像データを取り込む画像入力手段と、
撮影の指示に応じて前記画像入力手段で取り込んだ被写体に対応した画像データのうち、中心にあるオブジェクト画像データを抽出するオブジェクト画像抽出手段と、
内部または外部に設けられ、外部装置とデータ通信するためのデータ通信手段と、
前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、
前記データ通信制御手段は、前記オブジェクト画像データを前記外部装置に送信する場合に、暗号化して送信することを特徴とするデジタルカメラ。
【発明の詳細な説明】
【０００１】
【発明の属する技術分野】
この発明は、デジタルカメラに関し、詳細には、画像の記録枚数を増加可能なまたはデータ通信時間を低減したデジタルカメラに関する。
【０００２】
【従来の技術】
近年、デジタルカメラの撮像素子が高画素化してきており、その代表的な素子であるＣＣＤ（Ｃｈａｒｇｅ  Ｃｏｕｐ１ｅｄ  Ｄｅｖｉｃｅ；電荷結合素子）の場合には１５０万画素程度の製品が普及し始めている。かかる製品では、例えば、８メガバイトのメモリを使用した場合に、高精細（高品質）モードで撮影すると１０枚程度しか記録することができない。
【０００３】
もっと多くの撮影枚数を記録したい場合には、記録画素数を小さくしたり、画像データの圧縮率を大きくする必要があり、この場合は高精細モードで撮影した場合に比べて記録する画像品質が悪くならざるを得ない。
【０００４】
また、デジタルカメラと通信機能を具備した携帯情報端末（ＰＤＡ（Ｐｅｒｓｏｎａｌ  Ｄｉｇｉｔａｌ  Ａｓｓｉｓｔａｎｔ））も普及し始めている。このような製品では、デジタルカメラで撮影した静止画像を通信により遠隔地にある通信端末へ送信する機能を有しているが、送信する静止画像のデー夕量が多いと通信時間が長くかかるとともに通信費も多くかかってしまうという問題がある。
【０００５】
この問題を解決するために、例えば、特開平９−６５１１１号公報の静止画像伝送装置が提案されている。かかる静止画像伝送装置は、高画質伝送を必要とする画像領域および解像度を指示する制御情報を受信側端末から受信するための制御情報受信部を設け、この制御情報受信部で受信した制御情報に基づき、撮像領域制御部で撮像領域を制御し、また、受信側が指定した画像領域のみを画像入力部から高解像度で入力し、それを送信することにより、不要な高画質画像伝送による通信時間およびコストを削減する技術を開示している。
【０００６】
【発明が解決しようとする課題】
しかしながら、上記静止画像伝送装置では、上述の受信側においてのみ高解像度領域が指定されており、送信側では指定することができなかった。
【０００７】
また、特開平６−１５２８７６号公報に記載された画像入力装置では、領域設定手段によって所望の入力領域を設定すると、解像度設定手段によって、設定された入力領域の縦、横の画素数が表示され、この画素数を所望の値に設定し、画像入力後の解像度を指定する技術が開示されている。
【０００８】
しかしながら、特開平６−１５２８７６号公報に記載された画像入力装置では、所望の入力領域とその他の領域を別々の解像度で入力することはできないという問題がある。
【０００９】
さらに、デジタルカメラで撮影した静止画像を直ちに通信により遠隔地にある通信端末へ送信したい場合、高解像度の画像全部を送信すると通信時間がかかるとともに通信費も多くかかってしまう。また、撮影後に高解像度で送信したい領域を指定する方法だと、撮影から遠隔地にある通信端末が静止画像を受信完了するまでの時間が多くかかってしまうという問題がある。
【００１０】
本発明は、上記に鑑みてなされたものであり、ユーザーの所望する画像品質を維持しつつ、画像の記録枚数をより多くすることが可能なデジタルカメラを提供することを目的とする。
【００１１】
また、本発明は、上記に鑑みてなされたものであり、データ転送時間を短縮して、通信費を低減したデジタルカメラを提供することを目的とする。
【００１８】
【課題を解決するための手段】
上記課題を解決するために、請求項１の発明は、撮影すべき被写体の任意の領域を指定する領域指定手段と、被写体を撮像して画像データを取り込む画像入力手段と、内部または外部に設けられ、外部装置とデータ通信するためのデータ通信手段と、前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、前記データ通信制御手段は、前記任意の領域内の画像データを前記外部装置に送信する場合に、暗号化して送信するものである。
【００１９】
上記発明によれば、領域指定手段は撮影すべき被写体の任意の領域を指定し、データ通信制御手段は領域指定手段で任意の領域が指定された後、撮影の指示に応じて画像入力手段で取り込んだ被写体に対応した画像データのうち、データ通信手段を介して、まず、任意の領域内の画像データのみを外部装置に送信すべく制御し、ついで、全体のまたは任意の領域外の画像データを送信すべく制御する。また、上記発明によれば、データ通信制御手段は、任意の領域内の画像データを外部装置に送信する場合に、暗号化して送信する。
【００２０】
また、請求項２の発明は、撮影すべき被写体の任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００２１】
上記発明によれば、領域指定手段は撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００２２】
また、請求項３の発明は、撮影すべき被写体の任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００２３】
上記発明によれば、領域指定手段は撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００２４】
また、請求項４の発明は、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００２５】
上記発明によれば、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００２６】
また、請求項５の発明は、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００２７】
上記発明によれば、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００３４】
また、請求項６の発明は、撮影すべき被写体に応じた画像を表示するための画像表示手段と、前記画像表示手段に表示された画像のうちの任意の領域を指定する領域指定手段と、被写体を撮像して画像データを取り込む画像入力手段と、内部または外部に設けられ、外部装置とデータ通信するためのデータ通信手段と、前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、前記データ通信制御手段は、前記任意の領域内の画像データを前記外部装置に送信する場合に、暗号化して送信するものである。
【００３５】
上記発明によれば、領域指定手段は画像表示手段に表示された画像のうちの任意の領域を指定し、データ通信制御手段は領域指定手段で任意の領域が指定された後、撮影の指示に応じて画像入力手段で取り込んだ被写体に対応した画像データのうち、データ通信手段を介して、まず、任意の領域内の画像データを外部装置に送信すべく制御し、ついで、全体のまたは任意の領域外の画像データを送信すべく制御する。また、上記発明によれば、データ通信制御手段は、任意の領域内の画像データを外部装置に送信する場合に、暗号化して送信する。
【００３６】
また、請求項７の発明は、撮影すべき被写体に応じた画像を表示するための画像表示手段と、前記画像表示手段に表示された画像のうちの任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００３７】
上記発明によれば、領域指定手段は画像表示手段に表示された画像のうちの任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００３８】
また、請求項８の発明は、撮影すべき被写体に応じた画像を表示するための画像表示手段と、前記画像表示手段に表示された画像のうちの任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００３９】
上記発明によれば、領域指定手段は画像表示手段に表示された画像のうちの任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段は、オブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００４０】
また、請求項９の発明は、撮影すべき被写体に応じた画像を表示するための画像表示手段と、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００４１】
上記発明によれば、画像表示手段には撮影すべき被写体に応じた画像が表示され、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００４２】
また、請求項１０の発明は、撮影すべき被写体に応じた画像を表示するための画像表示手段と、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００４３】
上記発明によれば、画像表示手段は撮影すべき被写体に応じた画像が表示され、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００５０】
また、請求項１１の発明は、撮影すべき被写体を確認するための被写体確認手段と、前記被写体確認手段で確認される撮影すべき被写体の任意の領域を指定する領域指定手段と、被写体を撮像して画像データを取り込む画像入力手段と、内部または外部に設けられ、外部装置とデータ通信するためのデータ通信手段と、前記領域指定手段で任意の領域が指定された後、撮影の指示に応じて前記画像入力手段で取り込んだ被写体に対応した画像データのうち、前記データ通信手段を介して、前記任意の領域内の画像データのみを前記外部装置に送信すべく制御するデータ通信制御手段と、を備え、前記データ通信制御手段は、前記任意の領域内の画像データを前記外部装置に送信する場合に、暗号化して送信するものである。
【００５１】
上記発明によれば、領域指定手段は被写体確認手段で確認される撮影すべき被写体の任意の領域を指定し、データ通信制御手段は領域指定手段で任意の領域が指定された後、撮影の指示に応じて画像入力手段で取り込んだ被写体に対応した画像データのうち、データ通信手段を介して、任意の領域内の画像データのみを外部装置に送信すべく制御する。また、上記発明によれば、データ通信制御手段は、任意の領域内の画像データを外部装置に送信する場合に、暗号化して送信する。
【００５２】
また、請求項１２の発明は、撮影すべき被写体を確認するための被写体確認手段と、前記被写体確認手段で確認される撮影すべき被写体の任意の領域を指定する領域指定手段と、被写体を撮像して画像データを取り込む画像入力手段と、内部または外部に設けられ、外部装置とデータ通信するためのデータ通信手段と、前記領域指定手段で任意の領域が指定された後、撮影の指示に応じて前記画像入力手段で取り込んだ被写体に対応した画像データのうち、前記データ通信手段を介して、まず、前記任意の領域内の画像データのみを前記外部装置に送信すべく制御し、ついで、全体のまたは前記任意の領域外の画像データを送信すべく制御するデータ通信制御手段と、を備え、前記データ通信制御手段は、前記任意の領域内の画像データを前記外部装置に送信する場合に、暗号化して送信するものである。
【００５３】
上記発明によれば、領域指定手段は被写体確認手段で確認される撮影すべき被写体の任意の領域を指定し、データ通信制御手段は、領域指定手段で任意の領域が指定された後、撮影の指示に応じて画像入力手段で取り込んだ被写体に対応した画像データのうち、データ通信手段を介して、まず、任意の領域内の画像データを前記外部装置に送信すべく制御し、ついで、全体のまたは任意の領域外の画像データを送信すべく制御する。また、上記発明によれば、データ通信制御手段は、任意の領域内の画像データを外部装置に送信する場合に、暗号化して送信する。
【００５４】
また、請求項１３の発明は、撮影すべき被写体を確認するための被写体確認手段と、前記被写体確認手段で確認される撮影すべき被写体の任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００５５】
上記発明によれば、領域指定手段は被写体確認手段で確認される撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００５６】
また、請求項１４の発明は、撮影すべき被写体を確認するための被写体確認手段と、前記被写体確認手段で確認される撮影すべき被写体の任意の領域を指定する領域指定手段と、被写体を撮像して画像データを取り込む画像入力手段と、前記領域指定手段で任意の領域が指定された後、撮影の指示に応じて前記画像入力手段で取り込んだ被写体に対応した画像データのうち、前記領域指定手段で指定された任意の領域内の被写体に応じた画像データの中からオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００５７】
上記発明によれば、領域指定手段は被写体確認手段で確認される撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００５８】
また、請求項１５の発明は、撮影すべき被写体を確認するための被写体確認手段と、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、前記オブジェクト画像データのみを前記外部装置に送信すべく制御するデータ通信制御手段と、を備え、前記データ通信制御手段は、前記オブジェクト画像データを前記外部装置に送信する場合に、暗号化して送信するものである。
【００５９】
上記発明によれば、被写体確認手段により撮影すべき被写体を確認し、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御する。また、上記発明によれば、データ通信制御手段は、オブジェクト画像を外部装置に送信する場合に、暗号化して送信する。
【００６０】
また、請求項１６の発明は、撮影すべき被写体を確認するための被写体確認手段と、被写体を撮像して画像データを取り込む画像入力手段と、撮影の指示に応じて前記画像入力手段で取り込んだ被写体に対応した画像データのうち、中心にあるオブジェクト画像データを抽出するオブジェクト画像抽出手段と、内部または外部に設けられ、外部装置とデータ通信するためのデータ通信手段と、前記オブジェクト画像抽出手段によるオブジェクト画像データの抽出後、前記データ通信手段を介して、まず、前記オブジェクト画像データのみを前記外部装置に送信すべく制御し、ついで、全体のまたは前記オブジェクト画像データ以外の画像データを前記外部装置に送信すべく制御するデータ通信制御手段と、を備え、前記データ通信制御手段は、前記オブジェクト画像データを前記外部装置に送信する場合に、暗号化して送信するものである。
【００６１】
上記発明によれば、被写体確認手段により撮影すべき被写体を確認し、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御する。また、上記発明によれば、データ通信制御手段は、オブジェクト画像を外部装置に送信する場合に、暗号化して送信する。
【００７０】
【発明の実施の形態】
以下に添付図面を参照して、この発明に係るデジタルカメラの好適な実施の形態を、［ネットワークシステムの構築例］、［デジタルカメラの構成］、［デジタルカメラの動作例１］〜［デジタルカメラの動作例１２］、［デジタルカメラの他の構成例］の順に詳細に説明する。
【００７１】
［ネットワークシステムの構築例］
図１は、本発明に係るデジタルカメラを含むネットワークシステムの概略の構築例を示す図である。同図に示すデジタルカメラシステムは、デジタルカメラ間で遠隔通信を行うためのシステムである。同図において、１００ａ、１００ｂは通信機能を備えたデジタルカメラを示し、２００ａ，２００ｂは、デジタルカメラ１００ａ、１００ｂにそれぞれ接続ケーブル４００ａ、４００ｂを介して接続されるデジタル携帯電話（以降、「携帯電話」と称する）を示し、３００はＰＤＣ（Ｐｅｒｓｏｎａｌ  Ｄｉｇｉｔａｌ  Ｃｅｌｌｕｌａｒ）等のデジタル携帯電話網を示す。かかるデジタルカメラシステムにおいては、デジタルカメラ１００ａと１００ｂは、自機に接続される携帯電話２００ａ，２００ｂを介して、デジタル携帯電話網３００を経由してデータ通信可能に構築されている。
【００７２】
同図において、デジタルカメラ１００ａと携帯電話２００ａはＡ地点にあり、デジタルカメラ１００ｂと携帯電話２００ｂはＢ地点にある。デジタルカメラ１００ａとデジタルカメラ１００ｂはそれぞれ携帯電話２００ａと携帯電話２００ｂを使用した無線通信により、静止画像データの送受信を行う。携帯電話２００ａと携帯電話２００ｂはデジタル携帯電話網３００を使用した音声通話を行う他に、データ通信カード（図示省略）および専用ケーブル４００ａ、４００ｂを介してデジタルカメラ１００ａ，１００ｂと接続して、デジタル携帯電話網３００のデータ通信サービスを利用してデジタルカメラ間のデータ通信ができるようになっている。なお、ここではデジタルカメラ間でデータ通信する場合に、外部に接続した携帯電話を介してデータ通信を行う構成を示したが、デジタルカメラ自身が内部に通信手段を備える構成としても良い。
【００７３】
［デジタルカメラの構成］
図２は、図１のデジタルカメラ１００（１００ａ、１００ｂ）の構成例を示すブロック図である。同図に示す如く、デジタルカメラ１００は、レンズ１０１、オートフォーカス機構等を含むメカ機構１０２、ＣＣＤ１０３、ＣＤＳ（Ｃｏｒｒｅｌａｔｅｄ  Ｄｏｕｂｌｅ  Ｓａｍｐｌｉｎｇ；相関２重サンプリング）回路１０４、Ａ／Ｄ変換器１０５、デジタル信号処理部１０６、画像圧縮／伸長処理部１０７、カードインタフェース１０８、カード用アダプタ１０９、ＣＰＵ１１０、メインメモリ１１１、ＲＯＭ（Ｒｅａｄ  Ｏｎｌｙ  Ｍｅｍｏｒｙ）１１２、ファインダ表示制御部１１３、ＬＣＤ表示制御部１１４、画像メモリ１１５、操作部１１６、電子ビューファインダ（画像表示手段）１１７、ＬＣＤ１１８、モータドライバ１１９、制御信号生成部１２０、ＤＣ−ＤＣコンバーター１２１、バッテリ１２２、システムバス１２４等より構成されている。
【００７４】
メカ機構１０２は、メカニカルシャッター、オートフオーカス機構、絞り機構、およびフィルターを含んでいる。ＣＣＤ１０３は、レンズ１０１とメカ機構１０２を介して入力された被写体像を電気信号（アナログ画像データ）に変換する。ＣＤＳ回路１０４は、ＣＣＤ型撮像素子に対する低雑音化のための回路である。Ａ／Ｄ変換器１０５は、ＣＤＳ回路１０４を介して入力されたＣＣＤ１０３からのアナログ画像データをデジタル画像データに変換する。
【００７５】
デジタル信号処理部１０６は、Ａ／Ｄ変換器１０５から入力したデジタル画像データについて、色差（Ｃｂ，Ｃｒ）と輝度（Ｙ）に分けて各種処理、補正および画像圧縮／伸長のためのデータ処理を行う。画像圧縮／伸長処理部１０７は、例えば、ＪＰＥＧに準拠した圧縮（符号化）、伸長（復号化）処理を施す。カードインタフェース１０８は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したＰＣカードとのインタフェース動作を実行する。
【００７６】
ＣＰＵ１１０は、ＲＯＭ１１２に格納された制御プログラムに従って、デジタルカメラ１００装置全体の制御を行う。メインメモリ１１１はＤＲＡＭ（Ｄｙｎａｍｉｃ  Ｒａｎｄｏｍ  Ａｃｃｅｓｓ  Ｍｅｍｏｒｙ）より構成され、ＣＰＵ１１０のワークエリアとして使用される。ＲＯＭ１１２には、デジタルカメラ１００の動作を制御するための制御プログラムが格納されている。
【００７７】
ファインダ表示制御部１１３は、デジタル信号処理部１０６から入力された被写体画像データとその中の任意の領域を指示するための矩形（グラフィック）データとを合成して電子ビューファインダ１１７に表示するための制御を行う。ＬＣＤ表示制御部１１４は、画像データや操作メニュー等をＬＣＤ１１８に表示するための制御を行う。画像メモリ１１５は例えば、フラッシュメモリからなり、撮影時に入力画像を圧縮処理した画像データや通信により受信した画像データを記憶する。操作部１１６は、機能選択や撮影指示等の操作、および電子ビューファインダ１１７に表示された矩形領域（異なった解像度等で入力する領域）を指定する操作等を行うための各種スイッチを備えている。
【００７８】
制御信号生成部１２０は、ＣＣＤ１０３、ＣＤＳ回路１０４、Ａ／Ｄ変換器１０５の動作タイミングを制御する信号を生成する。バッテリ１２２は、例えばニッケル水素電池、リチウム電池等であり、電流はＤＣ−ＤＣコンバータ１２１を介してデジタルカメラ１００の内部に供給される。ＰＣカード１２３は、携帯電話と接続して無線データ通信を行うためのデータ通信カードや、画像データを記憶するメモリカードであり、ＰＣＭＣＩＡ規格に準拠しており、カード用アダプタ１０９に接続される。
【００７９】
［デジタルカメラの動作例１］
デジタルカメラの動作例１を図３〜図８を参照して説明する。図３は電子ビューファインダ１１７の表示例、図４は画像データファイルのファイルヘッダの構造、図５は撮影した画像を画像メモリ１１５に記憶する動作を説明するためのフローチャート、図６は画像メモリ１１５に記憶された画像を再生する動作を説明するためのフローチャート、図７は画像を１つのＪＰＥＧファイルとしてメモリカードに記憶する動作を説明するためのフローチャート、図８は画像分割例を示す。
【００８０】
まず、撮影した画像を画像メモリに記憶する動作を図３〜図５を参照して説明する。まず、デジタルカメラ１００では電源が投入されると、ＣＣＤ１０３で電気信号に変換された被写体画像は、ＣＤＳ回路１０４、Ａ／Ｄ変換器１０５、デジタル信号処理部１０６、ファインダ表示制御部１１３を介して電子ビューファインダ１１７に表示される。図３（Ａ）は、電子ビューファインダ１１７に表示される画像の一例を示している。
【００８１】
そして、図５において、操作部１１６に具備された領域指定ボタンが押されると（ステップＳ１００）、予め決められた大きさの矩形Ｅを電子ビューファインダ１１７に表示する（ステップＳ１０１）。図３（Ｂ）は、電子ビューファインダ１１７に表示される矩形Ｅの一例を示している。ここで、操作部１１６に具備された領域ズームボタンが押されると（ステップＳ１０２）、ファインダ表示制御部１１３は矩形Ｅを拡大あるいは縮小して電子ビューファインダ１１７に表示する（ステップＳ１０３）。また、操作部１１６に具備された領域移動ボタン（上下左右の指示ボタン）が押されると（ステップＳ１０４）、ファインダ表示制御部１１３は矩形Ｅを指定された方向へ所定距離だけ移動して電子ビューファインダ１１７に表示する（ステップＳ１０５）。
【００８２】
ついで、操作部１１６に具備された撮影ボタンが押されると（ステップＳ１０６）、Ａ／Ｄ変換されデジタル信号処理部１０６から出力された被写体画像データをメインメモリ１１１に一旦記憶する（ステップＳ１０７）。そして、そのときに電子ビューファインダ１１７に表示されていた矩形Ｅの位置と大きさの情報から矩形の内側の領域の画像データを画像圧縮／伸長処理部１０７へ転送して、圧縮処理を行い、この圧縮画像データを画像メモリ１１５に画像データファイルとして保存する（ステップＳ１０８）。
【００８３】
続いて、メインメモリ１１１に記憶された被写体全体の画像データを所定の間引き率で、例えば縦方向と横方向をそれぞれ１／２に画素を間引く処理を行い、この間引きされた画像データを画像圧縮／伸長処理部１０７へ転送して、圧縮処理を行い、この圧縮画像データを画像メモリ１１５にファイル形式で保存する（ステップＳ１０９）。そして、画像メモリ１１５に先に保存した矩形領域内の画像データファイルと後から保存した間引き画像データファイルはファイル管理データにより関連づけて管理する。このファィル管理データは、画像メモリ１１５に記憶しておく（ステップＳ１１０）。
【００８４】
ここで、画像データファイルのファイルヘッダについて説明する。図３（Ｂ）において、矩形領域Ｅの左上の頂点Ｂの位置は、撮影画像全体の左上の頂点Ａからの水平方向と垂直方向の座標点（ｘ，ｙ）で表され、この情報は矩形領域内の画像データファイルのファイルヘッダの所定の位置に格納する。なお、この座標の単位は撮影画像の画素であり、例えば、（ｘ，ｙ）＝（１０，２０）は点Ａから水平方向へ１０画素、垂直方向へ２０画素の位置である。また間引き率の情報は、間引き画像データファィルのファイルヘッダの所定の位置に格納する。
【００８５】
画像データをＪＰＥＧ方式で圧縮した場合のこれらの画像データファイルのファイルヘッダの構造例を図４に示す。このファイルヘッダの構造は、矩形領域内の画像データファイルのファイルヘッダと間引き画像データファイルのファイルヘッダで共通である。
【００８６】
図４に示す如く、画像データファイルのファイルヘッダは、画像の開始を表すマーカーであるＳＯＩ（Ｓｔａｒｔ  Ｏｆ  Ｉｍａｇｅ）１５０と、アプリケーションデータのセグメントであるＡＰＰ０（Ａｐｐｌｉｃａｔｉｏｎ  ｓｅｇｍｅｎｔ）１５１と、コメント用のセグメントであるＣＯＭ（Ｃｏｍｍｅｎｔ）１５２と、量子化テーブルデータのセグメントであるＤＱＴ（Ｄｅｆｉｎｅ  Ｑｕａｎｔｉｚａｔｉｏｎ  Ｔａｂｌｅ）１５３とを含んでいる。
【００８７】
ＡＰＰ０（Ａｐｐｌｉｃａｔｉｏｎ  ｓｅｇｍｅｎｔ）１５１は、アプリケーションデータマーカーコード（２バイト）１６０、アプリケーションデータセグメント長（２バイト）１６１、矩形領域の水平方向の位置情報識別子（１バイト）１６２、矩形領域の水平方向位置データ（２バイト）１６３、矩形領域の垂直方向の位置情報識別子（１バイト）１６４、矩形領域の垂直方向の位置データ（２バイト）１６５、間引き率識別子（１バイト）１６６、間引き率データ（１バイト）１６７から構成される。
【００８８】
なお、矩形領域内の画像データの大きさ（縦横の画素数）は、ＪＰＥＧ規格で定義された位置、すなわちＳＯＦ（Ｓｔａｒｔ  Ｏｆ  Ｆｒａｍｅ）セグメント内の所定の位置に書き込む。
【００８９】
つぎに、画像メモリ１１５に記憶された画像を再生する動作を図６のフローチャートを参照して説明する。図６において、まず、操作部１１６の画像再生操作により、この画像データファイルの再生が指示されると（ステップＳ１２０）、画像メモリ１１５に記憶されたファィル管理データに基づいて、間引き画像データを画像圧縮／伸長処理部１０７で伸長し（ステップＳ１２１）、さらにメインメモリ１１１上でＬＣＤ１１８の表示画素数に合うように、さらに間引き処理を行うか、あるいは画素の補間処理を行い、この表示用画像データをＬＣＤ表示制御部１１４を介してＬＣＤ１１８に表示する（ステップＳ１２２）。
【００９０】
続いて、ＰＣカード１２３としてメモリカードが装着されている場合に、画像メモリ１１５に記憶された矩形領域内の画像データファイルと間引き画像データファイルとを合成して１つのＪＰＥＧファイルとしてメモリカードに記録する動作を図７のフローチャートを参照して説明する。この動作は、ＰＣＭＣＩＡ規格のカードスロットを具備したパソコン等の外部装置へ標準のＪＰＥＧファイルとして渡す場合に有効である。
【００９１】
図７において、まず、操作部１１６からメモリカードに合成して記録する指示操作が行われると（ステップＳ１３０）、画像メモリ１１５に記憶されたファイル管理データに基づいて、まず間引き画像データを画像圧縮／伸長処理部１０７で伸長して、さらにメインメモリ１１１上で間引き率に対応した画素の補間処理を行う（ステップＳ１３１）。
【００９２】
続いて、矩形領域内の画像データを画像圧縮／伸長処理部１０７で伸長して、この伸長された画像データを矩形の位置情報に基づいて、先にメインメモリ１１１に記憶している補間画像データに上書きする（ステップＳ１３２）。そして、この合成された画像データを画像圧縮／伸長処理部１０７で圧縮して、この圧縮データをＪＰＥＧファイルとしてメモリカードに記録する（ステップＳ１３３）。なお、このＪＰＥＧファイルのファイルヘッダには、矩形の位置情報や間引き率の情報を入れる必要は無い。
【００９３】
以上説明したように、動作例１によれば、電子ビューファインダ１１７に表示した画像全体の中から任意の領域（矩形領域Ｅ）を指定した場合に、指定された領域内の画像とその領域外の画像とを異なった解像度（指定された領域外の画像データの解像度を指定された領域の１／２とする）で圧縮処理し、その指定された領域の大きさおよび位置情報を圧縮された静止画像データとともに記憶することとしたので、ユーザーにとって必要な部分のみを高画質で記録することができ、ユーザーの所望する画像品質に適合し、かつ記録枚数をより多くすることが可能となる。
【００９４】
なお、上記では、矩形領域内の画像データと撮影画像全体の画像データとに分離する方法を説明したが、矩形領域内の画像データとその領域外の画像データとを完全に分離して扱うことにしても良い。この場合の処理方法を図８を参照して説明する。
【００９５】
図８は画像分割例を示しており、同図において、矩形領域（斜線部分）外の画像データは４つの領域▲１▼〜▲４▼に分割され、各領域毎に間引き処理と圧縮処理を行い、これらの圧縮画像データを画像メモリ１１５にファイルで保存する。なお、画像メモリ１１５に保存した矩形領域内の画像データファイルと後から保存した４つの領域▲１▼〜▲４▼の間引き画像データファイルは関連づけて管理する。このファイル管理データは、画像メモリ１１５に記憶しておく。この場合の詳細な処理の説明は省略する。また、画像の再生処理と１つのＪＰＥＧファイルとしてメモリカードに記録する処理についても説明を省略する。
【００９６】
［デジタルカメラの動作例２］
デジタルカメラの動作例２を図９および図１０を参照して説明する。図９は撮影した画像を画像メモリ１１５に記憶する動作を説明するためのフローチャート、図１０は画像を１つのＪＰＥＧファイルとしてメモリカードに記憶する動作を説明するためのフローチャートを示す。
【００９７】
まず、撮影した画像を画像メモリに記憶する動作を図９のフローチャートを参照して説明する。図９において、領域指定ボタンが押されてから撮影ボタンが押されるまでの動作は、図５のステップＳ１００〜ステップＳ１０５と同様であるのでその図示は省略する。すなわち、操作部１１６に具備された領域指定ボタンが押されることによりデフォルトの矩形が電子ビューファインダ１１７に表示され、領域ズームボタンや領域移動ボタンにより矩形領域の位置と大きさが指定される。
【００９８】
そして、図９において、撮影ボタンが押されると（ステップＳ１４０）、Ａ／Ｄ変換されデジタル信号処理部１０６から出力された被写体画像データをメインメモリ１１１に一旦記憶する（ステップＳ１４１）。
【００９９】
そして、そのときに電子ビューファインダ１１７に表示されていた矩形の位置と大きさの情報から矩形の内側の領域の画像データを画像圧縮／伸長処理部１０７へ転送して、低い圧縮率にて圧縮処理を行い、この圧縮画像データを画像メモリ１１５にファイルで保存する（ステップＳ１４２）。続いて、メインメモリ１１１に記憶された被写体全体の画像データを画像圧縮／伸長処理部１０７へ転送して、高い圧縮率にて圧縮処理を行い、この圧縮画像データを画像メモリ１１５にファイルで保存する（ステップＳ１４３）。なお、画像メモリ１１５に先に保存した矩形領域内の画像データファイルと後から保存した全体の画像データファイルはファイル管理データにより関連づけて管理する。このファイル管理データは、画像メモリ１１５に記憶しておく（ステップＳ１４４）。
【０１００】
ここで、圧縮率を変更する方法について説明する。圧縮率は、ＪＰＥＧ圧縮時に使用する量子化テーブルのデータを替えることで変更する。すなわち、量子化テーブルのデータの値を大きくすると圧縮率は高くなり、逆に量子化テーブルのデータの値を小さくすると圧縮率は低くなる。矩形領域の左上の頂点の位置情報は、動作例１と同様に矩形領域内の画像データファイルのファイルヘッダの所定の位置に入れておく。
【０１０１】
つぎに、画像メモリ１１５に記憶された画像を再生する動作を説明する。画像再生操作により、この画像データファイルの再生が指示されると、画像メモリ１１５に記憶されたファィル管理データに基づいて、全体の画像データを画像圧縮／伸長処理部１０７で伸長して、さらにメインメモリ１１１上でＬＣＤ１１８上の表示画素数に合うように、さらに間引き処理を行うか、あるいは画素の補間処理を行い、この表示用画像データをＬＣＤ表示制御部１１４を介してＬＣＤ１１８に表示する。
【０１０２】
続いて、ＰＣカード１２３としてメモリカードが装着されている場合に、画像メモリ１１５に記憶された矩形領域内の画像データファイルと間引き画像データファイルとを合成して１つのＪＰＥＧファイルとしてメモリカードに記録する動作を図１０のフローチャートを参照して説明する。
【０１０３】
図１０において、メモリカードに合成して記録する指示操作が行われると（ステップＳ１５０）、画像メモリ１１５に記憶されたファイル管理データに基づいて、まず全体の画像データを画像圧縮／伸長処理部１０７で伸長して、その伸長した画像データをメインメモリ１１１上に展開する（ステップＳ１５１）。続いて、矩形領域内の画像データを画像圧縮／伸長処理部１０７で伸長して、この伸長された画像データを矩形の位置情報に基づいて、先にメインメモリ１１１に記憶している全体の画像データに上書きする（ステップＳ１５２）。
【０１０４】
そして、この合成された画像データを画像圧縮／伸長処理部１０７で所定の圧縮率で圧縮して、この圧縮データをＪＰＥＧファイルとしてメモリカード１２３に記録する（ステップＳ１５３）。なお、このＪＰＥＧファイルのファイルヘッダには、矩形の位置清報を入れる必要は無い。
【０１０５】
以上説明したように、上記動作例２によれば、電子ビューファインダ１１７に表示した画像全体の中から任意の領域を指定した場合に、指定された領域内の画像とその領域外の画像とを異なった圧縮率で圧縮処理し、その指定された領域の大きさおよび位置情報を圧縮された画像データとともに記憶することとしたので、ユーザーにとって必要な部分のみを高画質で記録することができ、ユーザーの所望する画像品質に適合し、かつ記録枚数をより多くすることが可能となる。
【０１０６】
上記動作例２では、矩形領域内の画像データと撮影画像全体の画像データとに分離する方法を説明したが、動作例１（図８参照）で説明したのと同様にして、矩形領域内の画像データとその領域外の画像データに完全に分離して処理することにしても良い。
【０１０７】
また、動作例１では指定された領域内の画像とその領域外の画像とを異なった解像度で圧縮処理し、動作例２では、指定された領域内の画像とその領域外の画像とを異なった圧縮率で圧縮処理することとしたが、指定された領域内の画像とその領域外の画像とを異なった解像度および圧縮率で圧縮処理することにしても良い。
【０１０８】
［デジタルカメラの動作例３］
デジタルカメラの動作例３を図１１〜図１４を参照して説明する。図１１はブロック分割例、図１２は画像データファイルのファイルヘッダの構造例、図１３は撮影した画像を画像メモリ１１５に記憶する動作を説明するためのフローチャート、図１４は画像を１つのＪＰＥＧファイルとしてメモリカードに記憶する動作を説明するためのフローチャートを示す。
【０１０９】
動作例３では、撮影前に入力画像全体の中から任意の領域を指定すると、撮影時に指定された領域内の画像の中からオブジェクトを自動的に抽出し、そのオブジェクト画像とその他の領域の画像とを異なった解像度または圧縮率で圧縮処理する場合について説明する。
【０１１０】
ところで、ＪＰＥＧ圧縮は矩形画像を圧縮するようになっている。ここでは、任意の形状のオブジェクト画像を圧縮する場合に、オブジェクト画像を含んだ矩形画像を圧縮処理し、ＪＰＥＧファイルのファイルヘッダにオブジェクト画像の画素を識別する情報を入れる方法を例にとって説明する。オブジェクト画像の輪郭線を抽出する方法としては、例えば、特開平５−３２４８２９号公報に記載されたものがある。これは、矩形や閉曲線で囲まれた領域内のオブジェクト画像の輪郭線を抽出するものである。ここではかかる方法を用いてオブジェクト画像の抽出を行う。
【０１１１】
図１１は、矩形画像のブロック分割例を示す。同図に示す如く、矩形画像を、例えば８×８画素のブロックに分割して、分割した各ブロックに番号を付与する。番号は、左から右へ、そして上から下のラインへ順序付けて付与する。この矩形画像の中の抽出されたオブジェクト画像を、このブロック単位で識別する。各ブロックを１ビットで表し、オブジェクト画像のブロックの場合は「１」、そうでない場合は「０」とする。このビットはブロックの個数分必要となる。この識別ビットのバイト数と識別ビット列は、ＪＰＥＧファイルのファイルヘッダに格納する。
【０１１２】
このファイルヘッダの構造を図１２に示す。図１２において図４と同等部分は同一符号を付してある。図１２において、ＡＰＰ０セグメント１５１のアプリケーションデータマーカーコード１６０から矩形領域の垂直方向位置データ１６５までは図４で定義した内容と同じである。ＡＰＰ０セグメント１５１の垂直方向位置データ１６５の後に、オブジェクト画像を識別するための情報であることを表すオブジェクト識別子（１バイト）１７０、識別ビットのバイト数（２バイト）１７１、さらに識別ビット列１７２の領域を定義する。なお、オブジェクト画像に該当するブロック数（識別ビット数）が８の倍数でない場合には、８の倍数になるように値がゼロのビットを追加する。
【０１１３】
まず、撮影した画像を画像メモリ１１５に記憶する動作を図１３のフローチャートを参照して説明する。図１３において、領域指定ボタンが押されてから撮影ボタンが押されるまでの動作は、図５のステップＳ１００〜ステップＳ１０５と同様であるのでその図示は省略する。すなわち、操作部１１６に具備された領域指定ボタンが押されることによりデフォルトの矩形が電子ビューファインダ１１７に表示され、領域ズームボタンや領域移動ボタンにより矩形領域の位置と大きさが指定される。
【０１１４】
そして、図１３において、撮影ボタンが押されると（ステップＳ１６０）、Ａ／Ｄ変換されデジタル信号処理部１０６から出力された被写体画像データをメインメモリ１１１に一旦記憶する（ステップＳ１６１）。そして、そのときに電子ビューファインダ１１７に表示されていた矩形の位置と大きさの情報から矩形の内側の領域の画像データをメインメモリ１１１の別の場所にコピーする（ステップＳ１６２）。
【０１１５】
この矩形画像データの中からオブジェクトを抽出するとともに、矩形画像データを８×８画素のブロックに分割する（ステップＳ１６３）。そして、各ブロックを１ビットで表し、オブジェクト画像のブロックの場合は「１」、そうでない場合は「０」としたビット列を生成する（ステップＳ１６４）。このビット列の中で、値が「０」のビットに該当するブロックの画像データを全て「０」で置き換える。かかる処理により、オブジェクト画像を含んだ矩形領域の圧縮データ量を小さくすることができる。
【０１１６】
その後、オブジェクトを抽出してオブジェクト以外の部分を「０」で置き換えた矩形画像データを画像圧縮／伸長処理部１０７へ転送して、圧縮処理を行い、この圧縮画像データを画像メモリ１１５にＪＰＥＧファイルで保存する（ステップＳ１６５）。このとき、このＪＰＥＧファイルのファイルヘッダに、矩形領域の位置情報に加えて識別ビットのバイト数と識別ビット列を書き込む。続いて、メインメモリ１１１に記憶された被写体全体の画像データを所定の間引き率で、例えば縦方向と横方向をそれぞれ１／２に画索を間引く処理を行い、この間引きされた画像データを画像圧縮／伸長処理部１０７へ転送して、圧縮処理を行い、この圧縮画像データを画像メモリ１１５にＪＰＥＧファイルで保存する（ステップＳ１６６）。なお、ここでは、指定された領域の大きさおよび位置情報を記憶することとしたが、後述する動作例４のように、抽出したオブジェクト画像の領域の大きさおよび位置情報を記憶することにしても良い。
【０１１７】
なお、画像メモリ１１５に先に保存した矩形領域内の画像データファイルと後から保存した間引き画像データファイルはファイル管理データで関連づけて管理する。このファイル管理データは、画像メモリ１１５に記憶しておく（ステップＳ１６７）。
【０１１８】
つぎに、画像メモリ１１５に記憶された画像を再生する動作を説明する。まず、画像再生操作により、この画像データファイルの再生が指示されると、画像メモリ１１５に記憶されたファィル管理データに基づいて、全体の画像データを画像圧縮／伸長処理部１０７で伸長して、さらにメインメモリ１１１上でＬＣＤ１１８の表示画素数に合うように、さらに間引き処理を行うか、あるいは画素の補間処理を行い、この表示用画像データをＬＣＤ表示制御部１１４を介してＬＣＤ１１８に表示する。
【０１１９】
続いて、ＰＣカード１２３としてメモリカードが装着されている場合に、画像メモリ１１５に記憶された矩形領域内の画像データファイルと全体の画像データファイルとを合成して１つのＪＰＥＧファイルとしてメモリカードに記録する動作を図１４のフローチャートを参照して説明する。
【０１２０】
図１４において、まず、メモリカードに合成して記録する指示操作が行われると（ステップＳ１７０）、画像メモリ１１５に記憶されたファイル管理データに基づいて、まず全体の画像データを画像圧縮／伸長処理部１０７で伸長して、さらにメインメモリ１１１上で間引き率に対応した画素の補間処理を行う（ステップＳ１７１）。続いて、矩形領域内の画像データを画像圧縮／伸長処理部１０７で伸長して、この伸長された画像データをメインメモリ１１１の別の場所に記憶する。
【０１２１】
そして、ＪＰＥＧファイルのファイルヘッダに存する矩形領域の位置情報とオブジェクト画像の識別ビット情報に基づいて、オブジェクト画像に該当するブロックデータのみを先にメインメモリ１１１に記憶している全体の画像データに上書きする（ステップＳ１７２）。そして、この合成された画像データを画像圧縮／伸長処理部１０７で所定の圧縮率で圧縮して、この圧縮データをＪＰＥＧファイルとしてメモリカードに記録する（ステップＳ１７３）。このＪＰＥＧファイルのファイルヘッダには、矩形の位置情報を入れる必要は無い。
【０１２２】
なお、ここでは、オブジェクト画像を含んだ矩形領域内の画像データと被写体全体の画像データとを異なった解像度で圧縮処理する場合を説明したが、オブジェクト画像を含んだ矩形領域内の画像データと被写体全体の画像データとを異なった圧縮率で圧縮処理して保存して、１つのＪＰＥＧファイルとしてメモリカードに記録することにしても良い。この場合の動作は動作例２と上記動作例３を組み合わせて容易に実施できるのでここではその説明は省略する。
【０１２３】
以上説明したように、動作例３によれば、電子ビューファインダ１１７に表示した画像全体の中から任意の領域を指定した場合に、指定された領域内の画像の中からオブジェクト画像を抽出し、そのオブジェクト画像とその他の領域の画像とを異なった解像度または圧縮率で圧縮処理し、指定された領域の位置情報または抽出したオブジェクト画像の位置情報を圧縮された静止画像データとともに記憶することとしたので、ユーザーにとって必要な部分のみを高画質で記録することができ、ユーザーの所望する画像品質に適合し、かつ記録枚数をより多くすることが可能となる。
【０１２４】
なお、オブジェクト画像とその他の領域の画像とを異なった解像度および圧縮率で圧縮処理することにしても良い。
【０１２５】
［デジタルカメラの動作例４］
デジタルカメラ１００の動作例４を図１５を参照して説明する。図１５は撮影した画像を画像メモリ１１５に記憶する動作を説明するためのフローチャートを示す。上記動作例３では、指定された矩形額域に存在するオブジェクトを抽出する場合を示したが、動作例４では、被写体の中心にあるオブジェクトを抽出する場合について説明する。
【０１２６】
まず、ファインダ表示制御部１１３は、電子ビューファインダ１１７に表示されている被写体画像の中心に、例えば十字マークを表示する。そして、図１５において、操作部１１６に具備された撮影ボタンが押されると（ステップＳ１８０）、Ａ／Ｄ変換されデジタル信号処理部１０６から出力された被写体画像データをメインメモリ１１１に一旦記憶する（ステップＳ１８１）。
【０１２７】
そして、この画像データの中心にあるオブジェクトを抽出する処理を行う。特開平５−３２４８２９号公報には、閉曲線上の各点を閉曲線を膨脹させる方向に移動させて物体の輪郭を抽出する方法が記述されている。この閉曲線を点としても同様の方法でその点を含んだオブジェクトの輪郭線を抽出することができる。このようにしてオブジェクト画像が抽出されると、このオブジェクト画像を含んだ最小の短形領域の画像データをメインメモリ１１１の別の場所にコピーする（ステップＳ１８２）。
【０１２８】
そして、この矩形画像データを８×８画素のブロックに分割する（ステップＳ１８３）。そして、各ブロックを１ビットで表し、オブジェクト画像のブロックの場合は「１」、そうでない場合は「０」としたビット列を生成する（ステップＳ１８４）。このビット列の中で、値が「０」のビットに該当するブロックの画像データを全て「０」で置き換える。かかる処理により、オブジェクト画像を含んだ矩形領域の圧縮データ量を小さくすることができる。
【０１２９】
その後、オブジェクトを抽出してオブジェクト以外の部分を「０」で置き換えた矩形画像データを画像圧縮／伸長処理部１０７へ転送して、圧縮処理を行い、この圧縮画像データを画像メモリ１１５にＪＰＥＧファイルで保存する（ステップＳ１８５）。このとき、このＪＰＥＧファイルのファイルヘッダに、矩形領域の位置情報に加えて識別ビットのバイト数と識別ビット列を書き込む。続いて、メインメモリ１１１に記憶された被写体全体の画像データを所定の間引き率で、例えば縦方向と横方向をそれぞれ１／２に画素を間引く処理を行い、この間引きされた画像データを画像圧縮／伸長処理部１０７へ転送して、圧縮処理を行い、この圧縮画像データを画像メモリ１１５にＪＰＥＧファイルで保存する（ステップＳ１８６）。
【０１３０】
なお、画像メモリ１１５に先に保存した矩形領域内の画像データファイルと後から保存した間引き画像データファイルはファイル管理データで関連づけて管理する。このファイル管理データは、画像メモリ１１５に記憶しておく（ステップＳ１８７）。
【０１３１】
画像メモリ１１５に記憶されている画像を再生する動作と、画像を１つのＪＰＥＧファイルとしてメモリカードに記憶する動作は、動作例３（図１４参照）と同様であるので、その説明は省略する。
【０１３２】
ここでは、オブジェクト画像を含んだ矩形領域内の画像データと被写体全体の画像データとを異なった解像度で圧縮処理する場合を説明したが、オブジェクト画像を含んだ矩形領域内の画像データと被写体全体の画像データとを異なった圧縮率で圧縮処理して保存し、１つのＪＰＥＧファイルとしてメモリカードに記録することにしても良い。この場合の動作は動作例２と上記動作例４を組み合わせて容易に実施できるのでここではその説明は省略する。
【０１３３】
以上説明したように、動作例４によれば、電子ビューファインダ１１７に表示した画像の中心にあるオブジェクトを抽出し、そのオブジェクト画像とその他の領域の画像とを異なった解像度または圧縮率で圧縮処理し、そのオブジェクトの位置情報を圧縮された静止画像データとともに記憶することとしたので、撮影する画像中の所望のオブジェクト領域とその他の領域を別々の解像度または圧縮率でメモリに記録することができ、ユーザーにとって必要な部分のみを高画質で記録することが可能となり、ユーザーの所望する画像品質に適合し、かつ記録枚数をより多くすることが可能となる。
【０１３４】
なお、オブジェクト画像とその他の領域の画像とを異なった解像度および圧縮率で圧縮処理することにしても良い。
【０１３５】
［デジタルカメラの動作例５］
動作例５を図１６および図１７を参照して説明する。動作例５ではデジタルカメラ間のデータ通信について説明する。図１６は送信側のデジタルカメラ１００ａの動作を説明するためのフローチャート、図１７は受信側のデジタルカメラ１００ｂの動作を説明するためのフローチャートを示す。
【０１３６】
図２において、ＰＣカード１２３として、携帯電話と接続して無線データ通信を行うためのデータ通信カードがカード用アダプタ１０９に装着されている。このデータ通信カードの機能選択はデジタルカメラ本体よりＡＴコマンドを発行して指定する。このＡＴコマンドはへイズ（Ｈａｙｅｓ）社が開発したコマンド体系で、主にモデムの制御に使用されている。
【０１３７】
以下では、図１において、遠隔地にいる相手と携帯電話で会話を行い、通話の途中でデジタルカメラ１００ａで撮影された画像データを通話を中断してデジタルカメラ１００ｂに伝送する場合について説明する。
【０１３８】
まず、送信側のデジタルカメラ１００ａの動作を図１６のフローチャートを参照して説明する。図１６において、地点Ａのユーザーが携帯電話２００ａを使用して地点Ｂのユーザーの携帯電話２００ｂへ発呼して呼を接続し、会話が行われているものとする（ステップＳ１９０）。そして、地点Ａのユーザーが、ある被写体をデジタルカメラ１００ａで撮影して、その撮影画像を地点Ｂのユーザーへ伝送したい旨を音声により通知する。そして、デジタルカメラ１００ａの操作部１１６を操作して撮影画像送信モードに設定する（ステップＳ１９１）。
【０１３９】
そして、ユーザーが、領域指定ボタン、領域ズームボタン、領域移動ボタンを操作して所望の矩形領域を指定して（ステップＳ１９２）、撮影ボタンが押されると（ステップＳ１９３）、Ａ／Ｄ変換されデジタル信号処理部１０６から出力された被写体画像データをメインメモリ１１１に一旦記憶する（ステップＳ１９４）。そして、そのときに電子ビューファインダ１１７に表示されていた矩形の位置と大きさの情報から矩形の内側の領域の画像データをＬＣＤ表示制御部１１４を介してＬＣＤ１１８に表示するとともに、この矩形領域内の画像データを画像圧縮／伸長処理部１０７へ転送して圧縮処理を行い、この圧縮画像データをメインメモリ１１１に戻す（ステップＳ１９５）。
【０１４０】
そして、ＣＰＵ１１０はデータ送信動作を指示するＡＴコマンドであるＡＴＤコマンドをカードＩ／Ｆｌ０８を介してデータ通信カードへ送出する（ステップＳ１９６）。なお、ＡＴＤコマンドは通常、電話番号を入れて発信動作を行うために使用されるが、既に呼が接続されているため、電話番号を省略して送出すればデータ通信カードがデータ送信モードに移行するようになっている。その後、ＣＰＵ１１０はメインメモリ１１１にある矩形領域内の圧縮画像データをデータ通信カードへ送出し、データ通信カードが相手側（地点Ｂ）のデータ通信カードとの間で実行する所定の通信方式によりデータ伝送を行う（ステップＳ１９７）。この通信方式として、例えばＩＴＵ―Ｔ勧告Ｖ．４２を使用する。
【０１４１】
画像データの伝送終了後は、ＣＰＵ１１０は、通話モードへの移行を指示するＡＴコマンドであるＡＴＨ２コマンドをデータ通信カードへ送出して、携帯電話２００ａと携帯電話２００ｂを使用した会話モードへ戻す（ステップＳ１９８）。
【０１４２】
つぎに、受信側のデジタルカメラ１００ｂの動作を図１７を参照して説明する。地点Ａと地点Ｂのユーザーが携帯電話２００ａ、２００ｂを使用して会話が行われているものとする（ステップＳ２００）。そして、会話の途中で地点Ａのユーザーから、ある被写体をデジタルカメラ１００ａで撮影して、その撮影画像を地点Ｂのユーザーへ伝送したい旨を音声により通知されると、地点Ｂのユーザーはデジタルカメラ１００ｂの操作部１１６を操作して画像データ受信待ち状態とすべく、データ受信モードを設定する（ステップＳ２０１）。このユーザー操作時に、デジタルカメラ１００ｂのＣＰＵ１１０はデータ受信動作を指示するＡＴコマンドであるＡＴＡコマンドをカードＩ／Ｆ１０８を介してデータ通信カードへ送出する（ステップＳ２０２）。
【０１４３】
そして、デジタルカメラ１００ａから送出される画像データを、データ通信カードを介して、所定の通信方式により受信する（ステップＳ２０３）。そして、データ通信が終了すると、この受信した圧縮画像データを画像圧縮／伸長処理部１０７で伸長して、伸長された画像データをＬＣＤ表示制御部１１４を介してＬＣＤ１１８に表示する（ステップＳ２０５）。そして、ＣＰＵ１１０は、通話モードへの移行を指示するＡＴコマンドであるＡＴＨ２コマンドをデータ通信カードへ送出して、携帯電話２００ａと携帯電話２００ｂを使用した会話モードへ戻す（ステップＳ２０６）。
【０１４４】
以上説明したように、動作例５によれば、デジタルカメラ１００ａから撮影した画像データを他のデジタルカメラ１００ｂに転送する場合に、電子ビューファインダ１１７に表示した画像全体の中で指定された領域内の画像のみをデジタルカメラ１００ｂに転送することとしたので、データ転送時間を短縮でき通信費を低減させることが可能となり、また、受信端末（デジタルカメラ１００ｂ）のユーザーとのリアルタイム通信の利便性を向上させることが可能となる。
【０１４５】
なお、動作例５の具体的な応用例として、デジタルカメラを例えば遠隔監視カメラとして使用することができる。例えば、監視すべき対象物を含むように画像領域を予め指定しておき、定期的に行われる撮影後に、指定された領域内の画像データのみを外部装置に送信する。定期的に撮影を行う方法としては、例えば、タイマー等をセットして自動的に所定時間間隔で撮影を行うことができる。遠隔監視カメラとして使用する場合は、例えば駐車場の空車状況等を監視するシステム等に適用することができる。
【０１４６】
［デジタルカメラの動作例６］
動作例６を図１８および図１９を参照して説明する。図１８は送信側のデジタルカメラ１００ａの動作を説明するためのフローチャート、図１９は受信側のデジタルカメラ１００ｂの動作を説明するためのフローチャートを示す。
【０１４７】
上記動作例５では、指定された矩形領域内の画像データのみを送信する場合を示したが、動作例６では、その領域外の画像データも引き続いて送信する場合について説明する。画像データ全体の中の矩形領域外の画像データを送信する方法として、例えば図８に示したように、矩形領域外を４つのブロック（図中▲１▼〜▲４▼）に分割して、それぞれのブロック内の画像データを順次送信する方法を用いても良いが、ここでは、矩形領域内の画像データを送信した後に、被写体全体の画像データを間引き処理によりデータ量を小さくして送信する場合について説明する。
【０１４８】
まず、送信側のデジタルカメラ１００ａの動作を図１８のフローチャートを参照して説明する。図１８において、撮影ボタンを押下するまでの動作は、図１６のステップＳ１９０〜Ｓ１９３の動作と同様であるので、ここではその図示は省略する。すなわち、携帯電話で会話を行っている時にユーザーの操作で撮影画像送信モードにされた後、所望の矩形領域が指定される。
【０１４９】
そして、図１８において、撮影ボタンが押されると（ステップＳ２１０）、Ａ／Ｄ変換されデジタル信号処理部１０６から出力された被写体画像データをメインメモリ１１１に一旦記憶する（ステップＳ２１１）。そして、そのときに電子ビューファインダ１１７に表示されていた矩形の位置と大きさの情報から矩形の内側の領域の画像データをＬＣＤ表示制御部１１４を介してＬＣＤ１１８に表示するとともに、この矩形領域内の画像データを画像圧縮／伸長処理部１０７へ転送して圧縮処理を行い、この圧縮画像データをメインメモリ１１１に戻す（ステップＳ２１２）。
【０１５０】
そして、動作例２で示した処理と同様にして、図４に示したファイルヘッダを持つＪＰＥＧファイル形式にする。そして、ＣＰＵ１１０はデータ送信動作を指示するＡＴコマンドであるＡＴＤコマンドをカードＩ／Ｆ１０８を介してデータ通信カードへ送出した後（ステップＳ２１３）、矩形領域内の圧縮画像データ（ＪＰＥＧファィル形式）を相手端末（デジタルカメラ１００ｂ）へ送信する（ステップＳ２１４）。この圧縮画像データの送信が終了すると（ステップＳ２１５）、メインメモリ１１１に記憶された被写体全体の画像データを所定の間引き率で画素を間引く処理を行い、この間引きされた画像データを画像圧縮／伸長処理部１０７へ転送して圧縮処理を行う。そして、この圧縮画像データを動作例２で示した処理と同様にして、図４に示したファイルヘッダを持つＪＰＥＧファイル形式にして相手端末（デジタルカメラ１００ｂ）へ送信する（ステップＳ２１６）。
【０１５１】
そして、送信終了後（ステップＳ２１７）、ＣＰＵ１１０は、通話モードへの移行を指示するＡＴコマンドであるＡＴＨ２コマンドをデータ通信カードへ送出して（ステップＳ２１８）、携帯電話を使用した会話モードへ戻す。そして、メインメモリ１１１に記憶された被写体全体の画像データをＬＣＤ１１８の表示画素数に合うように間引き処理を行い、この表示用画像データをＬＣＤ表示制御部１１４を介してＬＣＤ１１８に表示する（ステップＳ２１９）。
【０１５２】
次に、受信側のデジタルカメラ１００ｂの動作を図１９のフローチャートを参照して説明する。地点Ａと地点Ｂのユーザーが携帯電話２００ａ、２００ｂを使用して会話が行われているものとする（ステップＳ２２０）。そして、会話の途中で地点Ａのユーザーから、ある被写体をデジタルカメラ１００ａで撮影して、その撮影画像を地点Ｂのユーザーへ伝送したい旨を音声により通知されると、地点Ｂのユーザーはデジタルカメラ１００ｂの操作部１１６を操作して画像データ受信待ち状態とすべく、データ受信モードを設定する（ステップＳ２２１）。
【０１５３】
そして、ＣＰＵ１１０はデータ受信動作を指示するＡＴコマンドであるＡＴＡコマンドをカードＩ／Ｆｌ０８を介してデータ通信カードへ送出する（ステップＳ２２２）。そして、デジタルカメラ１００ａから送出される画像データを、データ通信カードを介して、所定の通信方式により受信し、まず矩形領域内の圧縮画像データを受信すると（ステップＳ２２３）、そのデータを画像圧縮／伸長処理部１０７で伸長して、伸長された画像データをＬＣＤ表示制御部１１４を介してＬＣＤ１１８に表示する（ステップＳ２２５）。
【０１５４】
続いて、デジタルカメラ１００ａから送出される被写体全体の画像データを、データ通信カードを介して、所定の通信方式により受信する（ステップＳ２２６）。そして、被写体全体の画像データの受信を終了すると（ステップＳ２２７）、その被写体全体の画像データを画像圧縮／伸長処理部１０７で伸長して、さらにメインメモリ１１１上でＬＣＤ１１８の表示画素数に合うように、さらに間引き処理を行うか、あるいは画素の補間処理を行い、この表示用画像データをＬＣＤ表示制御部１１４を介してＬＣＤ１１８に表示する（ステップＳ２２８）。
【０１５５】
このように、初めは矩形額域内の画像データがＬＣＤ１１８に表示され、その後、被写体全体の画像データがＬＣＤ１１８に表示される。そして、ＣＰＵ１１０は、通話モードへの移行を指示するＡＴコマンドであるＡＴＨ２コマンドをデータ通信カードへ送出して、携帯電話を使用した会話モードへ戻す（ステップＳ２２９）。
【０１５６】
なお、送信側および受信側のデジタルカメラ１００ａ、１００ｂは、矩形領域内の画像データ（ＪＰＥＧファイル形式）と間引き処理が施された被写体全体の画像データ（ＪＰＥＧファイル形式）を、お互いに関連づけて管理するファイル管理データとともに画像メモリ１１５に記憶しておく。
【０１５７】
以上説明したように、動作例６によれば、デジタルカメラ１００ａから撮影した画像データを他のデジタルカメラ１００ｂに転送する場合に、電子ビューファインダ１１７に表示した画像全体の中で指定された領域内の画像をデジタルカメラ１００ｂに転送し、つぎに、データ量を低減した全体の画像データをデジタルカメラ１００ｂへ送信することとしたので、データ転送時間を短縮でき通信費を低減させることが可能となり、また、受信端末（デジタルカメラ１００ｂ）のユーザーとのリアルタイム通信の利便性を向上させることが可能となる。また、重要な画像部分を先に転送することとしたので、受信側では重要な画像部分を先に取得することが可能となる。
【０１５８】
なお、上記動作例６では、指定された領域内の画像の転送後に、全体の画像を送出することとしたが、前述したように、指定された領域内の画像の転送後に、指定された領域外の画像のみを送出することにしても良い。
【０１５９】
なお、動作例６の具体的な応用例として、デジタルカメラを例えば遠隔監視カメラとして使用することができる。例えば、監視すべき対象物を含むように画像領域を予め指定しておき、定期的に行われる撮影後に、指定された領域内の画像データのみを外部装置に送信し、ついで、全体のまたは指定された領域外の画像データを外部装置に送信する。定期的に撮影を行う方法としては、例えば、タイマー等をセットして自動的に所定時間間隔で撮影を行うことができる。遠隔監視カメラとして使用する場合は、例えば駐車場の空車状況等を監視するシステム等に適用することができる。
【０１６０】
［デジタルカメラの動作例７］
動作例７を図２０を参照して説明する。図２０は送信側のデジタルカメラ１００ａの動作を説明するためのフローチャートを示す。
【０１６１】
動作例７では、撮影する画像中の所望のオブジェクト画像データのみを撮影後に直ちに送信する場合を説明する。動作例７では、動作例３と同様に、任意の形状のオブジェクト画像を圧縮する場合は、オブジェクト画像を含んだ矩形画像を圧縮処理し、ＪＰＥＧファイルのファイルヘッダにオブジェクト画像の画素を識別する情報を入れる方法を用いる。オブジェクト画像の抽出方法とＪＰＥＧファイルのファイルヘッダにオブジェクト画像の画素を識別する情報を入れる方法は、動作例３に記載した方法と同様である。
【０１６２】
送信側のデジタルカメラ１００ａの動作を図２０のフローチャートを参照して説明する。図２０において、撮影ボタンを押下するまでの動作は、図１６のステップＳ１９０〜Ｓ１９３の動作と同様であるので、ここではその図示は省略する。すなわち、携帯電話で会話を行っている時にユーザーの操作で撮影画像送信モードにされた後、所望の矩形領域が指定される。
【０１６３】
そして、図２０において、撮影ボタンが押されると（ステップＳ２４０）、Ａ／Ｄ変換されデジタル信号処理部１０６から出力された被写体画像データをメインメモリ１１１に一旦記憶する（ステップＳ２４１）。そして、そのときに電子ビューファインダ１１７に表示されていた矩形の位置と大きさの情報から矩形の内側の領域の画像データをメインメモリ１１１の別の場所にコピーする（ステップＳ２４２）。この矩形画像データの中からオブジェクトを抽出するとともに、矩形画像データを８×８画素のブロックに分割する（ステップＳ２４３）。
【０１６４】
そして、各ブロックを１ビットで表し、オブジェクト画像のブロックの場合は「１」、そうでない場合は「０」としたビット列を生成する（ステップＳ２４４）。そして、このビット列の中で、値が「０」のビットに相当するブロックの画像データを全て「０」で置き換える。この処理により、オブジェクト画像を含んだ矩形領域の圧縮データ量を小さくすることができる。その後、オブジェクトを抽出してオブジェクト以外の部分を「０」で置き換えた矩形画像データをＬＣＤ１１８に表示するとともに、画像圧縮／伸長処理部１０７へ転送して、圧縮処理を行い、この圧縮画像データを図１２に示したＪＰＥＧファイル形式でメインメモリ１１１に記憶する（ステップＳ２４５）。このとき、このＪＰＥＧファイルのファイルヘッダに、矩形領域の位置情報に加えて識別ビットのバイト数と識別ビット列を書き込む。
【０１６５】
その後、ＣＰＵ１１０はデータ送信動作を指示するＡＴコマンドであるＡＴＤコマンドをカードＩ／Ｆ１０８を介してデータ通信カードへ送出する（ステップＳ２４６）。なお、既に呼が接続されているため、このＡＴＤコマンド中に電話番号は含めていない。そして、ＣＰＵ１１０はメインメモリ１１１にある、オブジェクトの抽出処理が施された矩形領域内の圧縮画像データ（ＪＰＥＧファイル形式）をデータ通信カードへ送出して、データ通信カードが相手側（地点Ｂ）のデータ通信カードとの間で実行する所定の通信方式によりデータ伝送を行う（ステップＳ２４７）。
【０１６６】
画像データの伝送終了後は、ＣＰＵ１１０から通話モードへの移行を指示するＡＴコマンドであるＡＴＨ２コマンドをデータ通信カードへ送出して、携帯電話１００ａと携帯電話１００ｂを使用した会話モードへ戻す（ステップＳ２４８）。
【０１６７】
つぎに、受信側のデジタルカメラ１００ｂの動作を説明する。会話の途中で地点Ａのユーザーから、ある被写体をデジタルカメラ１００ａで撮影して、その撮影画像を地点Ｂのユーザーへ伝送したい旨を音声により通知されると、地点Ｂのユーザーはデジタルカメラ１００ｂの操作部１１６を操作して画像データ受信待ち状態とすべく、データ受信モードを設定する。このユーザー操作時に、デジタルカメラ１００ｂのＣＰＵ１１０はデータ受信動作を指示するＡＴコマンドであるＡＴＡコマンドをカードＩ／Ｆ１０８を介してデータ通信カードへ送出する。
【０１６８】
そして、デジタルカメラ１００ａから送出される画像データを、データ通信カードを介して、所定の通信方式により受信する。そして、データ通信が終了すると、この受信した圧縮画像データを画像圧縮／伸長処理部１０７で伸長して、伸長された画像データをＬＣＤ表示制御部１１４を介してＬＣＤ１１８に表示する。そして、ＣＰＵ１１０は、通話モードへの移行を指示するＡＴコマンドであるＡＴＨ２コマンドをデータ通信カードへ送出して、携帯電話２００ａと携帯電話２００ｂを使用した会話モードへ戻す。
【０１６９】
なお、抽出したオブジェクト画像を送信する方法として、オブジェクト画像をその形状に合わせて複数のブロックに分割して、それぞれのブロック毎に送信する方法を使用しても良い。ここではその詳細な説明は省略する。
【０１７０】
以上説明したように、動作例７によれば、デジタルカメラ１００ａから撮影した画像データを他のデジタルカメラ１００ｂに転送する場合に、電子ビューファインダ１１７に表示した画像全体の中で指定された領域内の画像の中からオブジェクトを抽出し、抽出したオブジェクトのみをデジタルカメラ１００ｂに転送することとしたので、データ転送時間を短縮でき通信費を低減させることが可能となり、また、受信端末（デジタルカメラ１００ｂ）のユーザーとのリアルタイム通信の利便性を向上させることが可能となる。
【０１７１】
なお、動作例７の具体的な応用例として、デジタルカメラを例えば遠隔監視カメラとして使用することができる。例えば、監視すべき対象物を含むように画像領域を予め指定しておき、指定された領域内のオブジェクト画像データのみを外部装置に送信する。定期的に撮影を行う方法としては、例えば、タイマー等をセットして自動的に所定時間間隔で撮影を行うことができる。遠隔監視カメラとして使用する場合は、例えば駐車場の空車状況等を監視するシステム等に適用することができる。
【０１７２】
［デジタルカメラの動作例８］
動作例８を図２１を参照して説明する。図２１は送信側のデジタルカメラ１００ａの動作を説明するためのフローチャートを示す。
【０１７３】
動作例７では、指定された矩形領域内のオブジェクト画像データのみを有効なデータとして送信する場合を示したが、動作例８では、矩形領域内の画像データを送信した後に、被写体全体の画像データを間引き処理によりデータ量を小さくして送信する場合について説明する。
【０１７４】
まず、送信側のデジタルカメラ１００ａの動作を図２１を参照して説明する。図２１において、撮影ボタンを押下するまでの動作は、図１６のステップＳ１９０〜Ｓ１９３の動作と同様であるので、ここではその図示は省略する。すなわち、携帯電話で会話を行っている時にユーザーの操作で撮影画像送信モードにされた後、所望の矩形領域が指定される。
【０１７５】
そして、図２１において、撮影ボタンが押されると（ステップＳ２５０）、Ａ／Ｄ変換されデジタル信号処理部１０６から出力された被写体画像データをメインメモリ１１１に一旦記憶する（ステップＳ２５１）。そして、そのときに電子ビューファインダ１１７に表示されていた矩形の位置と大きさの情報から矩形の内側の領域の画像データをメインメモリ１１１の別の場所にコピーする（ステップＳ２５２）。この矩形画像データの中からオブジェクトを抽出するとともに、矩形画像データを８×８画素のブロックに分割する（ステップＳ２５３）。
【０１７６】
そして、各ブロックを１ビットで表し、オブジェクト画像のブロックの場合は「１」、そうでない場合は「０」としたビット列を生成する（ステップＳ２５４）。そして、このビット列の中で、値が「０」のビットに相当するブロックの画像データを全て「０」で置き換える。この処理により、オブジェクト画像を含んだ矩形領域の圧縮データ量を小さくすることができる。その後、オブジェクトを抽出してオブジェクト以外の部分をゼロで置き換えた矩形画像データをＬＣＤ１１８に表示するとともに、画像圧縮／伸長処理部１０７へ転送して、圧縮処理を行い、この圧縮画像データを図１２に示したＪＰＥＧファイル形式でメインメモリ１１１に記憶する（ステップＳ２５５）。このとき、このＪＰＥＧファイルのファイルヘッダに、矩形領域の位置情報に加えて識別ビットのバイト数と識別ビット列を書き込む。
【０１７７】
その後、ＣＰＵ１１０はデータ送信動作を指示するＡＴコマンドであるＡＴＤコマンドをカードＩ／Ｆ１０８を介してデータ通信カードへ送出する（ステップＳ２５６）。なお、既に呼が接続されているため、このＡＴＤコマンド中に電話番号は含めていない。そして、ＣＰＵ１１０はメインメモリ１１１にある、オブジェクトの抽出処理が施された矩形領域内の圧縮画像データ（ＪＰＥＧファイル形式）をデータ通信カードへ送出して、データ通信カードが相手側（地点Ｂ）のデータ通信カードとの間で実行する所定の通信方式によりデータ伝送を行う（ステップＳ２５７）。
【０１７８】
そして、矩形領域内の圧縮画像データの送信が終了すると（ステップＳ２５８）、メインメモリ１１１に記憶された被写体全体の画像データを所定の間引き率で画素を間引く処理を行い、この間引きされた画像データを画像圧縮／伸長処理部１０７へ転送して圧縮処理を行う。そして、この圧縮画像データを動作例２で示した処理と同様にして、図４に示したファイルヘッダを持つＪＰＥＧファイル形式にして相手端末へ送信する（ステップＳ２５９）。
【０１７９】
そして、送信終了後（ステップＳ２６０）、通話モードへの移行を指示するＡＴコマンドであるＡＴＨ２コマンドをデータ通信カードへ送出して、携帯電話を使用した会話モードへ戻す（ステップＳ２６１）。また、送信終了後に、メインメモリ１１１に記憶された被写体全体の画像データをＬＣＤ１１８の表示画素数に合うように間引き処理を行い、この表示用画像データをＬＣＤ表示制御部１１４を介してＬＣＤ１１８に表示する（ステップＳ２６２）。
【０１８０】
受信側のデジタルカメラ１００ｂの動作は図１９と同様である。すなわち、受信側のデジタルカメラ１００ｂでは、画像データ受信待ち状態にする操作が行われると、ＣＰＵ１１０はデータ受信動作を指示するＡＴコマンドであるＡＴＡコマンドをカードＩ／Ｆ１０８を介してデータ通信カードへ送出する。そして、まず矩形領域内の圧縮画像データを受信すると、そのデータを画像圧縮／伸長処理部１０７で伸長して、伸長された画像データをＬＣＤ表示制御部１１４を介してＬＣＤ１１８に表示する。
【０１８１】
その後、被写体全体の圧縮画像データを受信すると、そのデータを画像圧縮／伸長処理部１０７で伸長して、さらにメインメモリ１１１上でＬＣＤ１１８の表示画素数に合うように、さらに間引き処理を行うか、あるいは画素の補間処理を行い、この表示用画像データをＬＣＤ表示制御部１１４を介してＬＣＤ１１８に表示する。このように、初めは矩形領域内の画像データがＬＣＤ１１８に表示され、その後、被写体全体の画像データがＬＣＤ１１８に表示される。なお、通信終了後、ＣＰＵ１１０は通話モードへの移行を指示するＡＴコマンドであるＡＴＨ２コマンドをデータ通信カードヘ送出して、携帯電話を使用した会話モードへ戻す。
【０１８２】
なお、送信側および受信側のデジタルカメラ１００ａ、１００ｂは、矩形領域内の画像データ（ＪＰＥＧファイル形式）と間引き処理が施された被写体全体の画像データ（ＪＰＥＧファイル形式）を、お互いに関連づけて管理するファイル管理データとともに画像メモリ１１５に記憶しておく。
【０１８３】
以上説明したように、動作例８によれば、デジタルカメラ１００ａから撮影した画像データを他のデジタルカメラ１００ｂに転送する場合に、電子ビューファインダ１１７に表示した画像全体の中で指定された領域内の画像の中からオブジェクト画像を抽出し、まず、抽出したオブジェクト画像をデジタルカメラ１００ｂに転送し、つぎに、データ量を低減した全体の画像データをデジタルカメラ１００ｂに送信することとしたので、データ転送時間を短縮でき通信費を低減させることが可能となり、また、受信端末（デジタルカメラ１００ｂ）のユーザーとのリアルタイム通信の利便性を向上させることが可能となる。また、重要な画像部分を先に転送することとしたので、受信側では重要な画像部分を先に取得することが可能となる。
【０１８４】
なお、上記動作例８では、オブジェクト画像の転送後に、全体の画像を送出することとしたが、前述したように、オブジェクト画像の転送後に、オブジェクト画像以外の画像のみを送出することにしても良い。
【０１８５】
また、動作例８の具体的な応用例として、デジタルカメラを例えば遠隔監視カメラとして使用することができる。例えば、監視すべき対象物を含むように画像領域を予め指定しておき、まず、指定された領域内のオブジェクト画像データのみを外部装置に送信し、ついで、全体のまたはオブジェクト画像以外の画像データを外部装置に送信する。定期的に撮影を行う方法としては、例えば、タイマー等をセットして自動的に所定時間間隔で撮影を行うことができる。遠隔監視カメラとして使用する場合は、例えば駐車場の空車状況等を監視するシステム等に適用することができる。
【０１８６】
［デジタルカメラの動作例９］
デジタルカメラの動作例９を説明する。動作例７では、指定された矩形領域に存在するオブジェクト画像データのみを有効なデータとして送信する場合を示したが、動作例９では、被写体の中心にあるオブジェクトを抽出して、このオブジェクトを含んだ矩形領域の画像データをオブジェクト画像データのみを有効なデータとして送信する場合について説明する。
【０１８７】
まず、送信側のデジタルカメラ１００ａの動作を説明する。撮影ボタンが押されオブジェクト画像を含んだ最小の矩形領域の画像データを所定のＪＰＥＧファイル形式にするまでの動作は動作例４（図１５）と同様である。初めに携帯電話で通話して、通話途中でデータ通信モードに切り換えて、矩形領域の画像データ（ＪＰＥＧファイル形式）を送信して、送信終了後に再び通話モードに戻すまでの動作は動作例７（図２０）と同様である。
【０１８８】
まず、ファインダ表示制御部１１３は、電子ビューファインダ１１７に表示している被写体画像データの中心に、例えば十字マークを表示する。そして、地点Ａのユーザーが携帯電話２００ａを使用して地点Ｂのユーザーの携帯電話２００ｂへ発呼して呼を接続し、会話が行われているものとする。地点Ａのユーザーは、ある被写体をデジタルカメラ１００ａで撮影して、その撮影画像を地点Ｂのユーザーへ伝送したい旨を音声により通知する。そして、デジタルカメラ１００ａの操作部１１６を操作して撮影画像送信モードに設定する。
【０１８９】
そして、操作部１１６に具備された撮影ボタンが押されると、Ａ／Ｄ変換されデジタル信号処理部１０６から出力された被写体画像データをメインメモリ１１１に一旦記憶する。そして、この画像データの中心にあるオブジェクトを抽出する処理を行う。特開平５−３２４８２９号公報には、閉曲線上の各点を閉曲線を膨脹させる方向に移動させて物体の輪郭を抽出する方法が記述されている。この閉曲線を点としても同様の方法でその点を含んだオブジェクトの輪郭線を抽出することができる。このようにしてオブジェクト画像が抽出されると、このオブジェクト画像を含んだ最小の短形領域の画像データをメインメモリ１１１の別の場所にコピーする。
【０１９０】
この矩形画像データを８×８画素のブロックに分割する。そして、各ブロックを１ビットで表し、オブジェクト画像のブロックの場合は「１」、そうでない場合は「０」としたビット列を生成する。そして、このビット列の中で、値が「０」のビットに相当するブロックの画像データを全て「０」で置き換える。この処理により、オブジェクト画像を含んだ矩形領域の圧縮データ量を小さくすることができる。その後、オブジェクトを抽出してオブジェクト以外の部分を「０」で置き換えた矩形画像データをＬＣＤ１１８に表示するとともに、画像圧縮／伸長処理部１０７へ転送して、圧縮処理を行い、この圧縮画像データを図１２に示したＪＰＥＧファイル形式でメインメモリ１１１に記憶する。このとき、このＪＰＥＧファイルのファイルヘッダに、矩形領域の位置情報に加えて識別ビットのバイト数と識別ビット列を書き込む。
【０１９１】
その後、ＣＰＵ１１０はデータ送信動作を指示するＡＴコマンドであるＡＴＤコマンドをカードＩ／Ｆ１０８を介してデータ通信カードへ送出する。なお、既に呼が接続されているため、このＡＴＤコマンド中に電話番号は含めていない。そして、ＣＰＵ１１０はメインメモリ１１１にある、オブジェクトの抽出処理が施された矩形領域内の圧縮画像データ（ＪＰＥＧファイル形式）をデータ通信カードへ送出して、データ通信カードが相手側（地点Ｂ）のデータ通信カードとの間で実行する所定の通信方式によりデータ伝送を行う。
【０１９２】
画橡データの伝送終了後は、ＣＰＵ１１０から通話モードへの移行を指示するＡＴコマンドであるＡＴＨ２コマンドをデータ通信カードへ送出して、携帯電話１００ａと携帯電話１００ｂを使用した会話モードへ戻す。
【０１９３】
尚、この場合の受信側のデジタルカメラ１００ｂの動作は、動作例５の受信側のデジタルカメラの動作（図１７）と同様であるので、その説明は省略する。
【０１９４】
以上説明したように、動作例９によれば、デジタルカメラ１００ａから撮影した画像データを他のデジタルカメラ１００ｂに転送する場合に、電子ビューファインダ１１７に表示された画像の中心にあるオブジェクトを抽出し、抽出したオブジェクトのみをデジタルカメラ１００ｂに転送することとしたので、データ転送時間を短縮でき通信費を低減させることが可能となり、また、受信端末（デジタルカメラ１００ｂ）のユーザーとのリアルタイム通信の利便性を向上させることが可能となる。
【０１９５】
［デジタルカメラの動作例１０］
動作例１０を説明する。動作例９では、被写体の中心にあるオブジェクトを抽出して、このオブジェクトを含んだ矩形領域の画像データをオブジェクト画像データのみを有効なデータとして送信する場合を示したが、動作例１０では、矩形領域内の画像データを送信した後に、被写体全体の画像データを間引き処理によりデータ量を小さくして送信する場合について説明する。
【０１９６】
まず、携帯電話で通話を行い、通話中に撮影画像送信モードに切り換えて、その後、撮影ボタンが押され、被写体画像データの中心にあるオブジェクトを抽出して、そのオブジェクト以外の部分をゼロで置き換えた矩形領域内の画像データを圧縮して送信するところまでの動作は、動作例９と同様である。
【０１９７】
そして、被写体全体の画像データを間引き処理によりデータ量を小さくして送信する場合の動作は、動作例８（図２１のステップＳ２５９〜ステップＳ２６２）の動作と同様である。すなわち、矩形領域内の圧縮画像データの送信が終了すると、メインメモリ１１１に記憶された被写体全体の画像デ−タを所定の間引き率で画素を間引く処理を行い、この間引きされた画像データを画像圧縮／伸長処理部１０７へ転送して圧縮処理を行う。そして、この圧縮画像データを動作例２で示した処理と同様にして、図４に示したファイルヘッダを持つＪＰＥＧファイル形式にして相手端末へ送信する。
【０１９８】
そして、送信終了後、通話モードへの移行を指示するＡＴコマンドであるＡＴＨ２コマンドをデータ通信カードへ送出して、携帯電話を使用した会話モードへ戻す。続いて、メインメモリ１１１に記憶された被写体全体の画像データをＬＣＤ１１８の表示画素数に合うように間引き処理を行い、この表示用画像データをＬＣＤ表示制御部１１４を介してＬＣＤ１１８に表示する。
【０１９９】
尚、この場合の受信側のデジタルカメラ１００ｂの動作は、動作例６の受信側のデジタルカメラ１００ｂの動作（図１９）と同様であるので、その説明は省略する。
【０２００】
以上説明したように、動作例１０によれば、デジタルカメラ１００ａから撮影した画像データを他のデジタルカメラ１００ｂに転送する場合に、電子ビューファインダ１１７に表示された画像の中心にあるオブジェクトを抽出し、まず、抽出したオブジェクトをデジタルカメラ１００ｂに転送し、つぎに、データ量を低減した全体の画像データをデジタルカメラ１００ｂに転送することとしたので、データ転送時間を短縮でき通信費を低減させることが可能となり、また、受信端末（デジタルカメラ１００ｂ）のユーザーとのリアルタイム通信の利便性を向上させることが可能となる。また、重要な画像部分を先に転送することとしたので、受信側では重要な画像部分を先に取得することが可能となる。
【０２０１】
なお、上記動作例１０では、オブジェクト画像の転送後に、全体の画像を送出することとしたが、前述したように、オブジェクト画像の転送後に、オブジェクト画像以外の画像のみを送出することにしても良い。
【０２０２】
［デジタルカメラの動作例１１］
動作例１１を図２２〜図２４を参照して説明する。図２２は送信側のデジタルカメラ１００ａの動作を説明するためのフローチャート、図２３および図２４は、受信側のデジタルカメラ１００ｂの動作を説明するためのフローチャートを示す。
【０２０３】
動作例１１では、撮影時に指定された矩形領域内の画像データを暗号化して送信し、ついで、その領域外の画像データを暗号化しないで引き続き送信することにより、遠隔地にいる特定の人のみが、その暗号化された部分を表示可能とする場合について説明する。
【０２０４】
動作例１１では、画像データの暗号化方式として、共通鍵暗号法であるＤＥＳ（Ｄａｔａ  Ｅｎｃｒｙｐｔｉｏｎ  Ｓｔａｎｄａｒｄ）方式を使用する。ここでＤＥＳ方式について説明する。暗号化する前の文（平文）を６４ビット毎のブロックに分けて、各ブロック毎に暗号化、復号化を行う。鍵は５６ビットであるが、パリティ８ビットを付加して６４ビットとしている。平文を鍵を用いて暗号化したデータも６４ビットである。ＤＥＳ方式は鍵の生成と暗号処理の２つの処理があり、暗号処理では入カパターンのビット順序を並び換える転字法と、入カパターンと出カパターンの関係をあるテーブルに従って変換する換字法を用いて平文データを暗号化する。
【０２０５】
ＤＥＳ方式では暗号化で使用した鍵を暗号文とともに相手端末へ送信し、受信端末ではこの受信した鍵を使用して暗号文を復号化する。被写体画像データ全体の中の矩形領域外の画像データを送信する方法として、図８に示したように、この矩形領域外を４つのブロックに分割して（図中▲１▼〜▲４▼）、それぞれのブロック内の画像データを順次送信する方法を用いる。
【０２０６】
まず、送信側のデジタルカメラ１００ａの動作を図２２を参照して説明する。図２２において、地点Ａのユーザーが携帯電話２００ａを使用して地点Ｂのユーザーの携帯電話２００ｂへ発呼して呼を接続し、会話が行われているものとする（ステップＳ２７０）。そして、地点Ａのユーザーは、ある被写体をデジタルカメラ１００ａで撮影して、その撮影画像を地点Ｂのユーザーへ伝送したい旨を音声により通知する。そして、デジタルカメラ１００ａの操作部１１６を操作して撮影画像送信モードに設定する（ステップＳ２７１）。
【０２０７】
そして、操作部１１６を操作して画像データの暗号化モードに設定する（ステップＳ２７２）。次に、領域指定ボタン、領域ズームボタン、領域移動ボタンを操作して所望の矩形領域を指定して（ステップＳ２７３）、撮影ボタンが押されると（ステップＳ２７４）、Ａ／Ｄ変換されデジタル信号処理部１０６から出力された被写体画像データをメインメモリ１１１に一旦記憶する（ステップＳ２７５）。
【０２０８】
そして、そのときに電子ビューファインダ１１７に表示されていた矩形の位置と大きさの情報から矩形の内側の領域の画像データをＬＣＤ表示制御部１１４を介してＬＣＤ１１８に表示するとともに、この矩形領域内の画像データを画像圧縮／伸長処理部１０７へ転送して圧縮処理を行い、この圧縮画像データを図４に示したＪＰＥＧファイル形式にして、メインメモリ１１１に記憶する（ステップＳ２７６）。
【０２０９】
そして、暗号鍵を生成して、この暗号鍵を用いてこの矩形領域内の圧縮画像データをＤＥＳ方式で暗号化する（ステップＳ２７７）。そして、ＣＰＵ１１０はデータ送信動作を指示するＡＴコマンドであるＡＴＤコマンドをカードＩ／Ｆ１０８を介してデータ通信カードへ送出した後（ステップＳ２７８）、まず、生成した暗号鍵を送信する（ステップＳ２７９）。続いて、矩形領域内の暗号化された圧縮画像データを相手端末（デジタルカメラ１００ｂ）へ送信する（ステップＳ２８０）。
【０２１０】
このデータ送信が終了すると（ステップＳ２８１）、メインメモリ１１１上の被写体画像データを、図８に示したように矩形領域外を４つのブロック（図中▲１▼〜▲４▼）に分割する（ステップＳ２８２）。そして、４つのブロック▲１▼〜▲４▼をカウントするためのカウンタＮの値を「０」に設定する（ステップＳ２８３）。ついで、カウンタＮの値を「１」インクリメントする（ステップＳ２８４）。そして、Ｎ番目のブロックの画像データを画像圧縮／伸長処理部１０７へ転送して圧縮処理を行い、この圧縮画像データを図４に示したＪＰＥＧファイル形式にする。
【０２１１】
このＪＰＥＧファイルヘッダに、このブロックの位置情報を入れて相手端末へ送信する（ステップＳ２８５）。なお、この位置情報は、ブロックの左上の頂点の位置を表すもので、被写体画像全体の左上の頂点からの水平方向の画素数、垂直方向の画素数である。
【０２１２】
そして、カウンタＮの値が「４」であるか否かを判断し（ステップＳ２８６）カウンタＮの値が「４」の場合には、ステップＳ２８７に移行する一方、カウンタＮの値が「４」でない場合には、カウンタＮの値が「４」となるまでステップＳ２８４とステップＳ２８５の処理を繰り返す。これにより、▲１▼〜▲４▼のブロックの圧縮画像データが順次転送される。
【０２１３】
ステップＳ２８７では、ＣＰＵ１１０は、通話モードへの移行を指示するＡＴコマンドであるＡＴＨ２コマンドをデータ通信カードへ送出して、携帯電話を使用した会話モードへ戻す。また、送信終了後に、メインメモリ１１１に記憶された被写体全体の画像データをＬＣＤ１１８の表示画素数に合うように間引き処理を行い、この表示用画像データをＬＣＤ表示制御部１１４を介してＬＣＤ１１８に表示する。
【０２１４】
つぎに、受信側のデジタルカメラ１００ｂの動作を図２３および図２４を参照して説明する。まず、図２３において、地点Ａと地点Ｂのユーザーが携帯電話２００ａ、２００ｂを使用して会話が行われているものとする（ステップＳ２９０）。そして、会話の途中で地点Ａのユーザーから、ある被写体をデジタルカメラ１００ａで撮影して、その撮影画像を地点Ｂのユーザーへ伝送したい旨を音声により通知されると、地点Ｂのユーザーはデジタルカメラ１００ｂの操作部１１６を操作して画像データ受信待ち状態とすべく、データ受信モードを設定する（ステップＳ２９１）。このユーザー操作時に、デジタルカメラ１００ｂのＣＰＵ１１０はデータ受信動作を指示するＡＴコマンドであるＡＴＡコマンドをカードＩ／Ｆ１０８を介してデータ通信カードへ送出する（ステップＳ２９２）。
【０２１５】
そして、デジタルカメラ１００ａから送出されるデータを、データ通信カードを介して、所定の通信方式により受信する（ステップＳ２９３）。暗号鍵、暗号化された圧縮画像データ、さらに矩形領域外の４つのブロック▲１▼〜▲４▼の圧縮画像データを受信すると（ステップＳ２９４〜Ｓ２９６）、矩形領域外の４つのブロック▲１▼〜▲４▼の圧縮画像データを画像圧縮／伸長処理部１０７で伸長して、伸長された画像データをＪＰＥＧファイルヘッダの位置情報に基づいてメインメモリ１１１に記憶する。そして、この矩形領域外の画像データをＬＣＤ１１８の表示画素数に合うように間引き処理を行い、この表示用画像データをＬＣＤ表示制御部１１４を介してＬＣＤ１１８に表示する（ステップＳ２９７）。
【０２１６】
ついで、図２４において、パスワードの入力画面をＬＣＤ１１８に表示する（ステップＳ３００）。ここで、ユーザーにより、操作部１１６を使用してパスワードが入力されると（ステップＳ３０１）、この入力されたパスワードを予めＲＯＭ１１２に記憶されたパスワードと照合する（ステップＳ３０２）。そして、この入力されたパスワードとＲＯＭ１１２に記憶されたパスワードが一致するか否かを判断する（ステップＳ３０３）。入力されたパスワードとＲＯＭ１１２に記憶されたパスワードが一致する場合には、受信した暗号鍵を使用して、受信した暗号化された圧縮画像データを復号化する（ステップＳ３０４）。
【０２１７】
そして、この復号化した圧縮画像データを画像圧縮／伸長処理部１０７で伸長し、伸長された画像データをＪＰＥＧファイルヘッダの位置情報に基づいて、先にメインメモリ１１１に記憶した矩形領域外の左上の画像データのブロック（図８の▲１▼）の左上の頂点を原点とした所定の位置に記憶する。そして、この合体された矩形領域内の画像データと矩形領域外の画像データをＬＣＤ１１８の表示画素数に合うように間引き処理を行い、この表示用画像データをＬＣＤ表示制御部１１４を介してＬＣＤ１１８に表示する（ステップＳ３０５）。
【０２１８】
続いて、ＣＰＵ１１０は、通話モードへの移行を指示するＡＴコマンドであるＡＴＨ２コマンドをデータ通信カードへ送出して、携帯電話を使用した会話モードへ戻す（ステップＳ３０６）。他方、ステップＳ３０３において、パスワードの入力操作時に、入力されたパスワードと予めＲＯＭ１１２に記憶されたパスワードとが一致しない場合には、パスワードの不一致を表すメッセージをＬＣＤ１１８に表示して（ステップＳ３０７）、受信した暗号化された圧縮画像データの復号化は実行しない。すなわち、所定のパスワードが入力された場合のみ、暗号化された矩形画像を再生してＬＣＤ１１８に表示することができる。
【０２１９】
以上説明したように、動作例１１によれば、デジタルカメラ１００ａから撮影した画像データを他のデジタルカメラ１００ｂに転送する場合に、電子ビューファインダ１１７に表示した画像全体の中で指定された領域内の画像を暗号化して送信することとしたので、画像データに機密性を持たせることが可能となる。
【０２２０】
［デジタルカメラの動作例１２］
動作例１２を図２５〜図２８を参照して説明する。図２５および図２６は、送信側のデジタルカメラ１００ａの動作を説明するためのフローチャート、図２７および図２８は、受信側のデジタルカメラ１００ｂの動作を説明するためのフローチャートを示す。
【０２２１】
動作例１２では、抽出したオブジェクト画像を暗号化して送信し、次いで、その領域外の画像データを暗号化しないで送信することにより、遠隔地にいる特定の人のみが、その暗号化された部分を表示可能とする場合について説明する。画像データの暗号化方式には、動作例１１と同様に共通鍵暗号法であるＤＥＳ方式を使用する。
【０２２２】
まず、送信側のデジタルカメラ１００ａの動作を図２５および図２６を参照して説明する。図２５において、撮影ボタンが押下されるまでの動作は、動作例１１の図２２のステップＳ２７０〜Ｓ２７３の動作と同様であるのでその図示は省略する。すなわち、地点Ａのユーザーが携帯電話２００ａを使用して地点Ｂのユーザーの携帯電話２００ｂへ発呼して呼を接続し、会話が行われている場合に、地点Ａのユーザーは、ある被写体をデジタルカメラ１００ａで撮影して、その撮影画像を地点Ｂのユーザーへ伝送したい旨を音声により通知する。そして、デジタルカメラ１００ａの操作部１１６を操作して撮影画像送信モードに設定する。そして、操作部１１６を操作して画像データの暗号化モードに設定し、領域指定ボタン、領域ズームボタン、および領域移動ボタンを操作して所望の矩形領域を指定する。
【０２２３】
そして、図２５において、撮影ボタンが押されると（ステップＳ３１０）、Ａ／Ｄ変換されデジタル信号処理部１０６から出力された被写体画像データをメインメモリ１１１に一旦記憶する（ステップＳ３１１）。そして、そのときに電子ビューファインダ１１７に表示されていた矩形の位置と大きさの情報から矩形の内側の領域の画像データをメインメモリ１１１の別の場所（位置１）にコピーする（ステップＳ３１２）。
【０２２４】
この矩形画像データの中からオブジェクトを抽出するとともに、矩形画像データを８×８画素のブロックに分割する（ステップＳ３１３）。そして、各ブロックを１ビットで表し、オブジェクト画像のブロックの場合は「１」、そうでない場合は「０」としたビット列を生成する（ステップＳ３１４）。そして、このビット列の中で、値が「０」のビットに該当するブロックの画像データを全て「０」で置き換える。その後、オブジェクトを抽出してオブジェクト以外の部分を「０」で置き換えた矩形画像データ（矩形画像データ１）をＬＣＤ１１８に表示するとともに画像圧縮／伸長処理部１０７へ転送して、圧縮処理を行い、この圧縮画像データを図１２に示したＪＰＥＧファイル形式でメインメモリ１１１に記憶する（ステップＳ３１５）。
【０２２５】
このとき、このＪＰＥＧファイルのファイルヘッダに、矩形領域の位置情報に加えて識別ビットのバイト数と識別ビット列を書き込む。そして、暗号鍵を生成して、この暗号鍵を用いてこの矩形領域内の圧縮画像データをＤＥＳ方式で暗号化する（ステップＳ３１６）。そして、ＣＰＵ１１０はデータ送信動作を指示するＡＴコマンドであるＡＴＤコマンドをカードＩ／Ｆ１０８を介してデータ通信カードへ送出した後（ステップＳ３１７）、まず、生成した暗号鍵を送信する（ステップＳ３１８）。
【０２２６】
続いて、矩形領域内（矩形画像データ１）の暗号化された圧縮画像データを相手端末へ送信する（ステップＳ３１９）。このデータ送信が終了すると（ステップＳ３２０）、メインメモリ１１１上の被写体画像データを図８に示したように、矩形領域外を４つのブロック（図中▲１▼〜▲４▼）に分割する（ステップＳ３２１）。
【０２２７】
そして、４つのブロック▲１▼〜▲４▼をカウントするためのカウンタＮの値を「０」に設定する（ステップＳ３２２）。ついで、カウンタＮの値を「１」インクリメントする（ステップＳ３２３）。そして、Ｎ番目のブロックの画像データを画像圧縮／伸長処理部１０７へ転送して圧縮処理を行い、この圧縮画像データを図４に示したＪＰＥＧファイル形式にする。
【０２２８】
このＪＰＥＧファイルヘッダに、このブロックの位置情報を入れて相手端末へ送信する。なお、この位置情報は、ブロックの左上の頂点の位置を表すもので、被写体画像全体の左上の頂点からの水平方向の画素数、垂直方向の画素数である。
【０２２９】
そして、カウンタＮの値が「４」であるか否かを判断し（ステップＳ３２５）カウンタＮの値が「４」の場合には、ステップＳ３３０（図２６）に移行する一方、カウンタＮの値が「４」でない場合には、カウンタＮの値が「４」となるまでステップＳ３２３とステップＳ３２４の処理を繰り返す。これにより、▲１▼〜▲４▼のブロックの圧縮画像データが順次転送される。
【０２３０】
図２６のステップＳ３３０では、メインメモリ１１１に記憶された被写体画像データの中の矩形領域内の画像データを、メインメモリ１１１のさらに別の場所（位置２）にコピーする。そして、この矩形画像データを８×８画像のブロックに分割して（ステップＳ３３１）、矩形画像データ１を作成したときのオブジェクト抽出結果の情報（矩形画像データ１のＪＰＥＧファイルヘッダに記憶）を基に、オブジェクト画像のブロックの場合は「０」、そうでない場合は「１」としたビット列を生成する。そして、このビット列の中で、値が「０」のビットに該当するブロックの画像データを全て「０」で置き換える（ステップＳ３３２）。すなわち、オブジェクト画像のデータを全て「０」とし、それ以外の画像データは何も加工されていない被写体画像データのままとする。
【０２３１】
この矩形画像データ（矩形画像データ２）を画像圧縮／伸長処理部１０７へ転送して、圧縮処理を行い、この圧縮画像データを図１２に示したＪＰＥＧファイル形式でメインメモリ１１１に記憶する。このとき、このＪＰＥＧファイルのファイルヘッダに、矩形領域の位置情報に加えて識別ビットのバイト数と識別ビット列を書き込む。そして、この矩形領域内（矩形画像データ２）の圧縮画像データを相手端末へ送信する（ステップＳ３３３）。そして、送信終了後、ＣＰＵ１１０は通話モードへの移行を指示するＡＴコマンドであるＡＴＨ２コマンドをデータ通信カードへ送出して、携帯電話を使用した会話モードへ戻す（ステップＳ３３４）。また、送信終了後に、メインメモリ１１１に記憶された被写体全体の画像データをＬＣＤ１１８の表示画素数に合うように間引き処理を行い、この表示用画像データをＬＣＤ表示制御部１１４を介してＬＣＤ１１８に表示する。
【０２３２】
つぎに、受信側のデジタルカメラ１００ｂの動作を図２７および図２８を参照して説明する。図２７において、暗号鍵を受信するまでの動作は動作例１１の図２３のステップＳ２９０〜Ｓ２９３の動作と同様であるのでその図示は省略する。すなわち、地点Ａと地点Ｂのユーザーが携帯電話２００ａ、２００ｂを使用して会話が行われているものとする。そして、会話の途中で地点Ａのユーザーから、ある被写体をデジタルカメラ１００ａで撮影して、その撮影画像を地点Ｂのユーザーへ伝送したい旨を音声により通知されると、地点Ｂのユーザーはデジタルカメラ１００ｂの操作部１１６を操作して画像データ受信待ち状態とすべく、データ受信モードを設定する。このユーザー操作時に、デジタルカメラ１００ｂのＣＰＵ１１０はデータ受信動作を指示するＡＴコマンドであるＡＴＡコマンドをカードＩ／Ｆ１０８を介してデータ通信カードへ送出する。そして、デジタルカメラ１００ａから送出されるデータを、データ通信カードを介して、所定の通信方式により受信する。
【０２３３】
そして、図２７において、暗号鍵、暗号化された圧縮画像データ、矩形領域外の４つのブロックの圧縮画像データ、オブジェクト画像データを「０」で置き換えた矩形画像データ２の圧縮画像データを受信すると（ステップＳ３４０〜Ｓ３４４）、矩形領域外の４つのブロックの圧縮画像データと矩形画像データ２の圧縮画像データを画像圧縮／伸長処理部１０７で伸長して、伸長された画像データをＪＰＥＧファイルヘッダの位置情報に基づいてメインメモリ１１１に記憶する。そして、この合体した画像データをＬＣＤ１１８の表示画素数に合うように間引き処理を行い、この表示用画像データをＬＣＤ表示制御部１１４を介してＬＣＤ１１８に表示する（ステップＳ３４５）。
【０２３４】
その後、パスワードの入力画面をＬＣＤ１１８に表示する（ステップＳ３４６）。ここで、操作部１１６を使用してパスワードが入力されると（ステップＳ３４７）、この入力されたパスワードを予めＲＯＭ１１２に記憶されたパスワードと照合する（ステップＳ３４８）。そして、図２８において、入力されたパスワードとＲＯＭ１１２に記憶されたパスワードが一致するか否かを判断する（ステップＳ３５０）。
【０２３５】
入力されたパスワードとＲＯＭ１１２に記憶されたパスワードが一致する場合には、受信した暗号鍵を使用して、受信した暗号化された圧縮画像データを復号化する。そして、この復号化したデータを画像圧縮／伸長処理部１０７で伸長して（ステップＳ３５１）、伸長された画像データをＪＰＥＧファイルヘッダの位置情報に基づいて、先に伸長された矩形画像データ２に重ね合わせる（ステップＳ３５２）。この重ね合わせは、ビット毎の論理和をとることで実現される。そして、この合体された画像データを、再度、ＬＣＤ１１８の表示画素数に合うように間引き処理を行い、この表示用画像データをＬＣＤ表示制御部１１４を介してＬＣＤ１１８に表示する（ステップＳ３５３）。そして、通信終了後、通話モードへの移行を指示するＡＴコマンドであるＡＴＨ２コマンドをデータ通信カードへ送出して、携帯電話を使用した会話モードへ戻す（ステップＳ３５４）。
【０２３６】
他方、ステップＳ３５０において、パスワードの入力操作時に、入力されたパスワードと予めＲＯＭ１１２に記憶されたパスワードとが一致しなかった場合には、パスワードの不一致を表すメッセージをＬＣＤ１１８に表示して（ステップＳ３５５）、受信した暗号化された圧縮画像データの復号化は実行しない。このようにして、所定のパスワードが入力された場合のみ、暗号化されたオブジェクト画像を再生してＬＣＤ１１８に表示することができる。
【０２３７】
以上説明したように、動作例１２によれば、デジタルカメラ１００ａから撮影した画像データを他のデジタルカメラ１００ｂに転送する場合に、電子ビューファインダ１１７に表示した画像全体の中で指定された領域内のオブジェクト画像を抽出し、抽出したオブジェクト画像を暗号化して送信することとしたので、画像データに機密性を持たせることが可能となる。
【０２３８】
［デジタルカメラの他の構成例］
図２９は、図１のデジタルカメラ１００（１００ａ、１００ｂ）の他の構成例を示すブロック図である。上述の図２に示したデジタルカメラは、電子ビューファインダ１１７で撮影する被写体の任意の領域を指定する構成としたが、図２９に示すデジタルカメラは、光学ファインダで撮影する被写体の任意の領域を指定する構成としたものである。図２９において、図２のデジタルカメラと同一機能および構成を有する部分は同一符号を付してある。
【０２３９】
図２９に示すデジタルカメラは、図２のデジタルカメラのファインダ表示制御部１１３および電子ビューファインダ１１７の代わりに、ハーフミラー２０１、光学ファインダ２０２、および領域信号生成部２０３を設けた構成である。
【０２４０】
図２９に示すデジタルカメラは、レンズ１０１、ハーフミラー２０１、光学ファインダ（被写体確認手段）２０２、領域信号生成部２０３、オートフォーカス機構等を含むメカ機構１０２、ＣＣＤ１０３、ＣＤＳ（Ｃｏｒｒｅｌａｔｅｄ  Ｄｏｕｂｌｅ  Ｓａｍｐｌｉｎｇ；相関２重サンプリング）回路１０４、Ａ／Ｄ変換器１０５、デジタル信号処理部１０６、画像圧縮／伸長処理部１０７、カードインタフェース１０８、カード用アダプタ１０９、ＣＰＵ１１０、メインメモリ１１１、ＲＯＭ（Ｒｅａｄ  Ｏｎｌｙ  Ｍｅｍｏｒｙ）１１２、ＬＣＤ表示制御部１１４、画像メモリ１１５、操作部１１６、ＬＣＤ１１８、モータドライバ１１９、制御信号生成部１２０、ＤＣ−ＤＣコンバーター１２１、バッテリ１２２、システムバス１２４等より構成されている。また、光学ファインダ２０２は、レンズ３０１、ミラー３０２、レンズ３０３、領域指定板３０４、およびガラス板３０５により構成されている。
【０２４１】
ここでは、図２のデジタルカメラと同一機能および構成を有する部分の説明は省略し、異なる部分についてのみ説明する。図２９において、被写体からの光はレンズ１０１を通り、ハーフミラー２０１によって２つに分岐される。ハーフミラー２０１を通過した一方の光はメカ機構１０９を通ってＣＣＤ１０３上に結像される。ハーフミラー２０１で反射された他方の光は光学ファインダ２０２に入力し、レンズ３０１を通過してミラー３０２で全反射され、レンズ３０３、領域指定板３０４、およびガラス板３０５を通り、撮影者はこの光によって被写体を視認することが可能となる。
【０２４２】
図３０は図２９の領域指定板３０４の構成を示す図である。領域指定板３０４は、透明なガラスからなり、その表面には矩形Ｅが印刷されている。この領域指定板３０４はユーザーの操作部１１６の操作により上下左右に移動するように取り付けられている。具体的には、操作部１１６に具備された上下方向移動ダイヤルと左右方向移動ダイヤルを回すことにより、この操作に応じて不図示の歯車機構が領域指定板３０４を移動させる。かかる歯車機構は公知の技術を利用して実現することができるのでその詳細な説明は省略する。
【０２４３】
領域信号生成部２０３は、撮影時に領域指定板３０４上の矩形Ｅ領域の撮像領域における位置信号を生成してＣＰＵ１１０に出力する。
【０２４４】
つぎに、光学ファインダ２０２の領域指定板３０４で被写体の任意の領域（矩形領域Ｅ）を指定した後、撮影動作を実行して撮影した画像を画像メモリ１１５に記憶する動作を説明する。
【０２４５】
まず、ユーザーは光学ファインダ２０２のガラス板３０５を覗いて被写体を確認し、操作部１１６に具備された上下方向移動ダイヤルおよび左右方向移動ダイヤルを回して、領域指定板３０４を移動させ被写体に対して矩形領域Ｅを指定する。この場合の光学ファインダ２０２における矩形Ｅの見え方は上述の図３に示した例と同様である。
【０２４６】
ここで、操作部１１６に具備された撮影ボタンが押下されると、Ａ／Ｄ変換されデジタル信号処理部１０６から出力された被写体画像データをメインメモリ１１１に一旦記憶する。そして、ＣＰＵ１１０は、撮影時に領域信号生成部２０３から入力される領域指定板３０４上の矩形領域Ｅの位置情報に基づいて、メインメモリ１１１に格納された矩形Ｅの内側の画像データを画像圧縮／伸長処理部１０７へ転送して圧縮処理を行わせ、この圧縮画像データを画像メモリ１１５に画像データファイルとして保存する。
【０２４７】
続いて、メインメモリ１１１に記憶された被写体全体の画像データを所定の間引き率で、例えば縦方向と横方向をそれぞれ１／２に画素を間引く処理を行い、この間引きされた画像データを画像圧縮／伸長処理部１０７へ転送して、圧縮処理を行い、この圧縮画像データを画像メモリ１１５にファイル形式で保存する。そして、画像メモリ１１５に先に保存した矩形領域内の画像データファイルと後から保存した間引き画像データファイルはファイル管理データにより関連づけて管理する。このファィル管理データは、画像メモリ１１５に記憶しておく。なお、画像データファイルのファイルヘッダの構造は図４と同様であるのでその説明は省略する。
【０２４８】
記憶した画像データの再生動作は上述の動作例１（図６のフローチャート）と同様なのでその説明は省略する。また、図２９に示すデジタルカメラにおいても、上述の動作例２〜動作例１２で示した動作を行うことができる。ここではその説明を省略する。
【０２４９】
以上説明したように、上記によれば、光学ファインダ２０２で被写体の中から任意の領域（矩形領域Ｅ）を指定した場合に、指定された領域内の画像とその領域外の画像とを異なった解像度（指定された領域外の画像データの解像度を指定された領域の１／２とする）で圧縮処理し、その指定された領域の大きさおよび位置情報を圧縮された静止画像データとともに記憶することとしたので、ユーザーにとって必要な部分のみを高画質で記録することができ、ユーザーの所望する画像品質に適合し、かつ記録枚数をより多くすることが可能となる。
【０２５０】
なお、本発明は、上記した実施の形態に限定されるものではなく、発明の要旨を変更しない範囲で適宜変形可能である。
【０２５４】
【発明の効果】
以上説明したように、請求項１の発明によれば、領域指定手段は撮影すべき被写体の任意の領域を指定し、データ通信制御手段は領域指定手段で任意の領域が指定された後、撮影の指示に応じて画像入力手段で取り込んだ被写体に対応した画像データのうち、データ通信手段を介して、まず、任意の領域内の画像データのみを外部装置に送信すべく制御し、ついで、全体のまたは任意の領域外の画像データを送信すべく制御することとしたので、データ転送時間を短縮でき通信費を低減させることが可能となる。また、請求項１の発明によれば、データ通信制御手段は、任意の領域内の画像データを外部装置に送信する場合に、暗号化して送信することとしたので、画像データに機密性を持たせることが可能となる。
【０２５５】
また、請求項２の発明によれば、領域指定手段は撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、データ転送時間を短縮でき通信費を低減させることが可能となる。また、請求項２の発明によれば、データ通信制御手段は、オブジェクト画像を外部装置に送信する場合に、暗号化して送信することとしたので、画像データに機密性を持たせることが可能となる。
【０２５６】
また、請求項３の発明によれば、領域指定手段は撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、データ転送時間を短縮でき通信費を低減させることが可能となる。また、請求項３の発明によれば、データ通信制御手段は、オブジェクト画像を外部装置に送信する場合に、暗号化して送信することとしたので、画像データに機密性を持たせることが可能となる。
【０２５７】
また、請求項４の発明によれば、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、データ転送時間を短縮でき通信費を低減させることが可能となる。また、請求項４の発明によれば、データ通信制御手段は、オブジェクト画像を外部装置に送信する場合に、暗号化して送信することとしたので、画像データに機密性を持たせることが可能となる。
【０２５８】
また、請求項５の発明によれば、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、データ転送時間を短縮でき通信費を低減させることが可能となる。また、請求項５の発明によれば、データ通信制御手段は、オブジェクト画像を外部装置に送信する場合に、暗号化して送信することとしたので、画像データに機密性を持たせることが可能となる。
【０２６２】
また、請求項６の発明によれば、撮影すべき被写体に応じた画像を表示するための画像表示手段を備え、領域指定手段は画像表示手段に表示された画像のうちの任意の領域を指定し、データ通信制御手段は領域指定手段で任意の領域が指定された後、撮影の指示に応じて画像入力手段で取り込んだ被写体に対応した画像データのうち、データ通信手段を介して、まず、任意の領域内の画像データを外部装置に送信すべく制御し、ついで、全体のまたは任意の領域外の画像データを送信すべく制御することとしたので、電子ビューファインダ等の画像表示手段を備えたデジタルカメラにおいて、データ転送時間を短縮でき通信費を低減させることが可能となる。また、請求項６の発明によれば、データ通信制御手段は、任意の領域内の画像データを外部装置に送信する場合に、暗号化して送信することとしたので、画像データに機密性を持たせることが可能となる。
【０２６３】
また、請求項７の発明によれば、撮影すべき被写体に応じた画像を表示するための画像表示手段を備え、領域指定手段は画像表示手段に表示された画像のうちの任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、電子ビューファインダ等の画像表示手段を備えたデジタルカメラにおいて、データ転送時間を短縮でき通信費を低減させることが可能となる。また、請求項７の発明によれば、データ通信制御手段は、オブジェクト画像を外部装置に送信する場合に、暗号化して送信することとしたので、画像データに機密性を持たせることが可能となる。
【０２６４】
また、請求項８の発明によれば、撮影すべき被写体に応じた画像を表示するための画像表示手段を備え、領域指定手段は画像表示手段に表示された画像のうちの任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段は、オブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、電子ビューファインダ等の画像表示手段を備えたデジタルカメラにおいて、データ転送時間を短縮でき通信費を低減させることが可能となる。また、請求項８の発明によれば、データ通信制御手段は、オブジェクト画像を外部装置に送信する場合に、暗号化して送信することとしたので、画像データに機密性を持たせることが可能となる。
【０２６５】
また、請求項９の発明によれば、撮影すべき被写体に応じた画像を表示するための画像表示手段を備え、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、電子ビューファインダ等の画像表示手段を備えたデジタルカメラにおいて、データ転送時間を短縮でき通信費を低減させることが可能となる。また、請求項９の発明によれば、データ通信制御手段は、オブジェクト画像を外部装置に送信する場合に、暗号化して送信することとしたので、画像データに機密性を持たせることが可能となる。
【０２６６】
また、請求項１０の発明によれば、撮影すべき被写体に応じた画像を表示するための画像表示手段を備え、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、電子ビューファインダ等の画像表示手段を備えたデジタルカメラにおいて、データ転送時間を短縮でき通信費を低減させることが可能となる。また、請求項１０の発明によれば、データ通信制御手段は、オブジェクト画像を外部装置に送信する場合に、暗号化して送信することとしたので、画像データに機密性を持たせることが可能となる。
【０２７０】
また、請求項１１の発明によれば、撮影すべき被写体を確認するための被写体確認手段を備え、領域指定手段は被写体確認手段で確認される撮影すべき被写体の任意の領域を指定し、データ通信制御手段は領域指定手段で任意の領域が指定された後、撮影の指示に応じて画像入力手段で取り込んだ被写体に対応した画像データのうち、データ通信手段を介して、任意の領域内の画像データのみを外部装置に送信すべく制御することとしたので、光学ファインダ等の被写体確認手段を備えたデジタルカメラにおいて、データ転送時間を短縮でき通信費を低減させることが可能となる。また、請求項１１の発明によれば、データ通信制御手段は、任意の領域内の画像データを外部装置に送信する場合に、暗号化して送信することとしたので、画像データに機密性を持たせることが可能となる。
【０２７１】
また、請求項１２の発明によれば、撮影すべき被写体を確認するための被写体確認手段を備え、領域指定手段は被写体確認手段で確認される撮影すべき被写体の任意の領域を指定し、データ通信制御手段は、領域指定手段で任意の領域が指定された後、撮影の指示に応じて画像入力手段で取り込んだ被写体に対応した画像データのうち、データ通信手段を介して、まず、任意の領域内の画像データを前記外部装置に送信すべく制御し、ついで、全体のまたは任意の領域外の画像データを送信すべく制御することとしたので、光学ファインダ等の被写体確認手段を備えたデジタルカメラにおいて、データ転送時間を短縮でき通信費を低減させることが可能となる。また、請求項１２の発明によれば、データ通信制御手段は、任意の領域内の画像データを外部装置に送信する場合に、暗号化して送信することとしたので、画像データに機密性を持たせることが可能となる。
【０２７２】
また、請求項１３の発明によれば、撮影すべき被写体を確認するための被写体確認手段を備え、領域指定手段は被写体確認手段で確認される撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、光学ファインダ等の被写体確認手段を備えたデジタルカメラにおいて、データ転送時間を短縮でき通信費を低減させることが可能となる。また、請求項１３の発明によれば、データ通信制御手段は、オブジェクト画像を外部装置に送信する場合に、暗号化して送信することとしたので、画像データに機密性を持たせることが可能となる。
【０２７３】
また、請求項１４の発明によれば、撮影すべき被写体を確認するための被写体確認手段を備え、領域指定手段は被写体確認手段で確認される撮影すべき被写体の任意の領域を指定し、オブジェクト画像抽出手段は領域指定手段で任意の領域が指定された後、撮影の指示に応じて画像入力手段で取り込んだ被写体に対応した画像データのうち、領域指定手段で指定された任意の領域内の被写体に応じた画像データの中からオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、光学ファインダ等の被写体確認手段を備えたデジタルカメラにおいて、データ転送時間を短縮でき通信費を低減させることが可能となる。また、請求項１４の発明によれば、データ通信制御手段は、オブジェクト画像を外部装置に送信する場合に、暗号化して送信することとしたので、画像データに機密性を持たせることが可能となる。
【０２７４】
また、請求項１５の発明によれば、撮影すべき被写体を確認するための被写体確認手段を備え、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、オブジェクト画像データのみを外部装置に送信すべく制御することとしたので、光学ファインダ等の被写体確認手段を備えたデジタルカメラにおいて、データ転送時間を短縮でき通信費を低減させることが可能となる。また、請求項１５の発明によれば、データ通信制御手段は、オブジェクト画像を外部装置に送信する場合に、暗号化して送信することとしたので、画像データに機密性を持たせることが可能となる。
【０２７５】
また、請求項１６の発明によれば、撮影すべき被写体を確認するための被写体確認手段を備え、オブジェクト画像抽出手段は撮影の指示に応じて画像入力手段で取り込んだ被写体に対応した画像データのうち、中心にあるオブジェクト画像データを抽出し、データ通信制御手段はオブジェクト画像抽出手段によるオブジェクト画像データの抽出後、データ通信手段を介して、まず、オブジェクト画像データのみを外部装置に送信すべく制御し、ついで、全体のまたはオブジェクト画像データ以外の画像データを外部装置に送信すべく制御することとしたので、光学ファインダ等の被写体確認手段を備えたデジタルカメラにおいて、データ転送時間を短縮でき通信費を低減させることが可能となる。また、請求項１６の発明によれば、データ通信制御手段は、オブジェクト画像を外部装置に送信する場合に、暗号化して送信することとしたので、画像データに機密性を持たせることが可能となる。
【図面の簡単な説明】
【図１】本発明に係るデジタルカメラシステムの概略構成を示す図である。
【図２】本発明に係るデジタルカメラの構成を示す図である。
【図３】電子ビューファインダの表示例を示す図である。
【図４】画像データファイルのファイルヘッダの構造を示す図である。
【図５】動作例１を説明するためのフローチャートである。
【図６】動作例１を説明するためのフローチャートである。
【図７】動作例１を説明するためのフローチャートである。
【図８】画像分割例を示すフローチャートである。
【図９】動作例２を説明するためのフローチャートである。
【図１０】動作例２を説明するためのフローチャートである。
【図１１】ブロック分割例を示す図である。
【図１２】画像データファイルのファイルヘッダの構造を示す図である。
【図１３】動作例３を説明するためのフローチャートである。
【図１４】動作例３を説明するためのフローチャートである。
【図１５】動作例４を説明するためのフローチャートである。
【図１６】動作例５（送信側の動作）を説明するためのフローチャートである。
【図１７】動作例５（受信側の動作）を説明するためのフローチャートである。
【図１８】動作例６（送信側の動作）を説明するためのフローチャートである。
【図１９】動作例６（受信側の動作）を説明するためのフローチャートである。
【図２０】動作例７（送信側の動作）を説明するためのフローチャートである。
【図２１】動作例８（送信側の動作）を説明するためのフローチャートである。
【図２２】動作例１１（送信側の動作）を説明するためのフローチャートである。
【図２３】動作例１１（受信側の動作）を説明するためのフローチャートである。
【図２４】動作例１１（受信側の動作）を説明するためのフローチャートである。
【図２５】動作例１２（送信側の動作）を説明するためのフローチャートである。
【図２６】動作例１２（送信側の動作）を説明するためのフローチャートである。
【図２７】動作例１２（受信側の動作）を説明するためのフローチャートである。
【図２８】動作例１２（受信側の動作）を説明するためのフローチャートである。
【図２９】本発明に係るデジタルカメラの他の構成を示す図である。
【図３０】図２９のデジタルカメラの光学ファインダの領域指定板の構成を示す図である。
【符号の説明】
１００    デジタルカメラ
１０１    レンズ
１０２    メカ機構
１０３    ＣＣＤ
１０４    ＣＤＳ回路
１０５    Ａ／Ｄ変換器
１０６    デジタル信号処理部
１０７    画像圧縮／伸長処理部
１０８    カードインタフェース
１０９    カード用アダプタ
１１０    ＣＰＵ
１１１    メインメモリ
１１２    ＲＯＭ（Ｒｅａｄ  Ｏｎｌｙ  Ｍｅｍｏｒｙ）
１１３    ファインダ表示制御部
１１４    ＬＣＤ表示制御部
１１５    画像メモリ
１１６    操作部
１１７    電子ビューファインダ
１１８    ＬＣＤ
１１９    モータドライバ
１２０    制御信号生成部
１２１    ＤＣ−ＤＣコンバータ
１２２    バッテリ
１２３    ＰＣカード
１２４    システムバス
２０１    ハーフミラー
２０２    光学ファインダ（被写体確認手段）
２０３    領域信号生成部
３０１    レンズ
３０２    ミラー
３０３    レンズ
３０４    領域指定板
３０５    ガラス板
【図１】
0004064022.tif 000002
【図２】
0004064022.tif 000003
【図３】
0004064022.tif 000004
【図４】
0004064022.tif 000005
【図５】
0004064022.tif 000006
【図６】
0004064022.tif 000007
【図７】
0004064022.tif 000008
【図８】
0004064022.tif 000009
【図９】
0004064022.tif 000010
【図１０】
0004064022.tif 000011
【図１１】
0004064022.tif 000012
【図１２】
0004064022.tif 000013
【図１３】
0004064022.tif 000014
【図１４】
0004064022.tif 000015
【図１５】
0004064022.tif 000016
【図１６】
0004064022.tif 000017
【図１７】
0004064022.tif 000018
【図１８】
0004064022.tif 000019
【図１９】
0004064022.tif 000020
【図２０】
0004064022.tif 000021
【図２１】
0004064022.tif 000022
【図２２】
0004064022.tif 000023
【図２３】
0004064022.tif 000024
【図２４】
0004064022.tif 000025
【図２５】
0004064022.tif 000026
【図２６】
0004064022.tif 000027
【図２７】
0004064022.tif 000028
【図２８】
0004064022.tif 000029
【図２９】
0004064022.tif 000030
【図３０】
0004064022.tif 000031